(57)【特許請求の範囲】
【請求項１】
ＷＬＡＮシステムにおいてデータを送信する方法であって、該方法は、第１ＳＴＡ（Ｓｔａｔｉｏｎ）により行われ、
第２ＳＴＡの高効率（ＨＥ）性能エレメントを受信するステップであって、該ＨＥ性能エレメントは、該第２ＳＴＡの送信星状図レベル情報を含む、ステップと、
前記送信星状図レベル情報及びデータフィールドの送信星状図レベルの両方に基づいて、信号延長の期間を決定するステップであって、該信号延長は、前記第２ＳＴＡに対する追加の受信処理時間を提供する、ステップと、
フィジカルプリアンブル、前記データフィールド及び前記信号延長を含むフィジカルプロトコルデータユニット（ＰＰＤＵ）を生成するステップであって、前記フィジカルプリアンブルは、レガシープリアンブル部分を含み、前記データフィールドのＤＦＴ／ＩＤＦＴ周期は、前記レガシープリアンブル部分のＤＦＴ／ＩＤＦＴ周期の４倍である、ステップと、
前記生成されたＰＰＤＵを前記第２ＳＴＡに送信するステップと、
を含む、データ送信方法。
【請求項２】
前記信号延長の期間を決定するステップは、少なくとも前記第２ＳＴＡの性能に関連する情報、前記ＰＰＤＵ内で送信されるデータの変調及びコーディング方法（ＭＣＳ）レベル又は前記ＰＰＤＵ内で送信される前記データのデータレートに基づく、請求項１に記載のデータ送信方法。
【請求項３】
前記信号延長は、前記第２ＳＴＡでデコードされない、請求項２に記載のデータ送信方法。
【請求項４】
前記信号延長は、前記生成されたＰＰＤＵ内のＦＥＣエンコード後に付加される、請求項１に記載のデータ送信方法。
【請求項５】
ＷＬＡＮシステムにおいてデータを送信するための第１ＳＴＡ（Ｓｔａｔｉｏｎ）装置であって、
無線信号を送信及び受信するよう構成されたＲＦユニットと、
プロセッサと、
を備え、
前記プロセッサは、
第２ＳＴＡの高効率（ＨＥ）性能エレメントを受信するよう前記ＲＦユニットを制御し、該ＨＥ性能エレメントは、該第２ＳＴＡの送信星状図レベル情報を含み、
前記送信星状図レベル情報及びデータフィールドの送信星状図レベルの両方に基づいて、信号延長の期間を決定し、該信号延長は、前記第２ＳＴＡに対する追加の受信処理時間を提供し、
フィジカルプリアンブル、前記データフィールド及び前記信号延長を含むフィジカルプロトコルデータユニット（ＰＰＤＵ）を生成し、前記フィジカルプリアンブルは、レガシープリアンブル部分を含み、前記データフィールドのＤＦＴ／ＩＤＦＴ周期は、前記レガシープリアンブル部分のＤＦＴ／ＩＤＦＴ周期の４倍であり、
前記ＰＰＤＵを前記第２ＳＴＡに送信するよう前記ＲＦユニットを制御するよう構成された、ＳＴＡ装置。
【請求項６】
前記信号延長の期間の決定は、少なくとも前記第２ＳＴＡの性能に関連する情報、前記ＰＰＤＵ内で送信されるデータの変調及びコーディング方法（ＭＣＳ）レベル又は前記ＰＰＤＵ内で送信される前記データのデータレートに基づく、請求項５に記載のＳＴＡ装置。
【請求項７】
前記信号延長は、前記第２ＳＴＡでデコードされない、請求項６に記載のＳＴＡ装置。
【請求項８】
前記信号延長は、前記生成されたＰＰＤＵ内のＦＥＣエンコード後に付加される、請求項５に記載のＳＴＡ装置。
【発明の詳細な説明】
【技術分野】
【０００１】
本発明は、無線通信システムに関し、より詳細には、無線ＬＡＮ（Ｌｏｃａｌ  Ａｒｅａ  Ｎｅｔｗｏｒｋ）通信システムで送信するデータのＦＦＴサイズの増加に応じて受信機の信号処理時間を確保できるようにパディングシンボルを追加して信号を送信するＳＴＡ装置及びそのデータ送信方法に関する。
【背景技術】
【０００２】
ワイファイ（Ｗｉ-Ｆｉ）は、２．４ＧＨｚ、５ＧＨｚまたは６ＧＨｚ周波数帯域において機器がインターネットに接続可能なようにするＷＬＡＮ（Ｗｉｒｅｌｅｓｓ  Ｌｏｃａｌ  Ａｒｅａ  Ｎｅｔｗｏｒｋ）技術である。
【０００３】
ＷＬＡＮは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１標準に基づく。ＩＥＥＥ  ８０２．１１のＷＮＧ  ＳＣ（Ｗｉｒｅｌｅｓｓ  Ｎｅｘｔ  Ｇｅｎｅｒａｔｉｏｎ  Ｓｔａｎｄｉｎｇ  Ｃｏｍｍｉｔｔｅｅ）は、次世代ＷＬＡＮ（ｗｉｒｅｌｅｓｓ  ｌｏｃａｌ  ａｒｅａ  ｎｅｔｗｏｒｋ）を中長期的に悩むアドホック委員会（ｃｏｍｍｉｔｔｅｅ）である。
【０００４】
ＩＥＥＥ  ８０２．１１ｎは、ネットワークの速度と信頼性を増加させ、無線ネットワークの運営距離を拡張するのに目的をおいている。さらに具体的に、ＩＥＥＥ  ８０２．１１ｎでは、最大６００Ｍｂｐｓのデータ処理速度（ｄａｔａ  ｒａｔｅ）を提供する高処理率（ＨＴ：Ｈｉｇｈ  Ｔｈｒｏｕｇｈｐｕｔ）を支援し、また送信エラーを最小化しデータ速度を最適化するために、送信部と受信部の両端ともに多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基盤をおいている。
【０００５】
ＷＬＡＮの補給が活性化され、またこれを利用したアプリケーションが多様化するにつれて、超高処理率（ＶＨＴ：Ｖｅｒｙ  Ｈｉｇｈ  Ｔｈｒｏｕｇｈｐｕｔ）を支援する次世代ＷＬＡＮシステムは、ＩＥＥＥ  ８０２．１１ｎ  ＷＬＡＮシステムの次のバージョンとして、ＩＥＥＥ  ８０２．１１ａｃが新しく制定された。ＩＥＥＥ  ８０２．１１ａｃは、８０ＭＨｚ帯域幅送信及び／又はより高い帯域幅送信（例えば、２００ＭＨｚ）を介して、１Ｇｂｐｓ以上のデータ処理速度を支援し、主に５ＧＨｚ帯域で動作する。
【０００６】
最近では、ＩＥＥＥ  ８０２．１１ａｃが支援するデータ処理速度よりさらに高い処理率を支援するための新しいＷＬＡＮシステムに対する必要性が台頭しつつある。
【０００７】
一名ＩＥＥＥ  ８０２．１１ａｘまたは高効率（ＨＥＷ：Ｈｉｇｈ  Ｅｆｆｉｃｉｅｎｃｙ）ＷＬＡＮと呼ばれる次世代ＷＬＡＮスタディグループで主に論議されるＩＥＥＥ  ８０２．１１ａｘの範囲（ｓｃｏｐｅ）は、１）２．４ＧＨｚ及び５ＧＨｚなどの帯域で８０２．１１  ＰＨＹ（ｐｈｙｓｉｃａｌ）階層とＭＡＣ（ｍｅｄｉｕｍ  ａｃｃｅｓｓ  ｃｏｎｔｒｏｌ）階層の向上、２）スペクトル効率性（ｓｐｅｃｔｒｕｍ  ｅｆｆｉｃｉｅｎｃｙ）と領域スループット（ａｒｅａ  ｔｈｒｏｕｇｈｐｕｔ）向上、３）干渉ソースが存在する環境、密集した異種ネットワーク（ｈｅｔｅｒｏｇｅｎｅｏｕｓ  ｎｅｔｗｏｒｋ）環境及び高いユーザ負荷が存在する環境のような実際の室内環境及び室外環境での性能向上などを含む。
【０００８】
ＩＥＥＥ  ８０２．１１ａｘにおいて主に考慮されるシナリオは、ＡＰ（ａｃｃｅｓｓ  ｐｏｉｎｔ）とＳＴＡ（ｓｔａｔｉｏｎ）が多い密集環境であり、ＩＥＥＥ  ８０２．１１ａｘは、このような状況でスペクトル効率（ｓｐｅｃｔｒｕｍ  ｅｆｆｉｃｉｅｎｃｙ）と空間送信率（ａｒｅａ  ｔｈｒｏｕｇｈｐｕｔ）の改善について議論する。特に、室内環境だけでなく、従来のＷＬＡＮで多く考慮されなかった室外環境での実質的性能改善に関心を有する。
【０００９】
ＩＥＥＥ  ８０２．１１ａｘでは、無線オフィス（ｗｉｒｅｌｅｓｓ  ｏｆｆｉｃｅ）、スマートホーム（ｓｍａｒｔ  ｈｏｍｅ）、スタジアム（Ｓｔａｄｉｕｍ）、ホットスポット（Ｈｏｔｓｐｏｔ）、ビル／アパート（ｂｕｉｌｄｉｎｇ／ａｐａｒｔｍｅｎｔ）のようなシナリオに関心が大きく、該当シナリオに基づいてＡＰとＳＴＡが多い密集環境でのシステム性能の向上についての議論が行われている。 
【００１０】
今後、ＩＥＥＥ  ８０２．１１ａｘでは、１つのＢＳＳ（ｂａｓｉｃ  ｓｅｒｖｉｃｅ  ｓｅｔ）での単一リンク性能向上よりは、ＯＢＳＳ（ｏｖｅｒｌａｐｐｉｎｇ  ｂａｓｉｃ  ｓｅｒｖｉｃｅ  ｓｅｔ）環境でのシステム性能の向上及び室外環境性能の改善、及びセルラオフロード（ｃｅｌｌｕｌａｒ  ｏｆｆｌｏａｄｉｎｇ）などに対する議論が盛んになると予想される。このようなＩＥＥＥ  ８０２．１１ａｘの方向性は、次世代ＷＬＡＮがますます移動通信と類似の技術範囲を有するようになるのを意味する。最近、スモールセル（ｓｍａｌｌ  ｃｅｌｌ）及びＤ２Ｄ（Ｄｉｒｅｃｔ-ｔｏ-Ｄｉｒｅｃｔ）通信領域で移動通信とＷＬＡＮ技術が共に論議されている状況を考慮してみると、ＩＥＥＥ  ８０２．１１ａｘに基づいた次世代ＷＬＡＮと移動通信の技術的及び事業的融合は、さらに盛んになると予測される。
【発明の概要】
【発明が解決しようとする課題】
【００１１】
上述のように、次世代無線ＬＡＮシステムである８０２．１１ａｘシステムの性能向上方法に対する議論が活発に進まれている。特に、制限された帯域幅でリソース活用効率を改善する方法が８０２．１１ａｘシステムにおいて重要な課題である。
【００１２】
８０２．１１ａｘシステムでは、アベレージスループット補強（ａｖｅｒａｇｅ  ｔｈｒｏｕｇｈｐｕｔ  ｅｎｈａｎｃｅｍｅｎｔ）及びアウトドアでのローバスト送信のために、レガシー８０２．１１システム（８０２．１１ａ、８０２．１１ｎ、８０２．１１ａｃ等）より４倍長いシンボル長を使用しようとする。ＳＴＡが、すなわちＯＦＤＭ変調実行の際、４倍大きいＦＦＴサイズを適用できる。
【００１３】
ＦＦＴサイズが増加すると、８０２．１１レガシーシステム信号に比べて送信信号のサブキャリアの数が増加されてスループットを向上させることができるが、受信機では、シンボル周期が長くなるため、データを処理するのにかかる時間が増加され得る。したがって、予め定義されたＳＩＦＳ時間をそのまま使用すれば、受信ＳＴＡが決められたＳＩＦＳ時間後にＡＣＫフレームを送信できないこともある。
【課題を解決するための手段】
【００１４】
上述の技術的課題を解決するために、本発明の実施の形態にかかるＷＬＡＮシステムのＳＴＡ装置及びＳＴＡ装置のデータ送信方法を提案する。
【００１５】
本発明の実施形態に係るＷＬＡＮ（Ｗｉｒｅｌｅｓｓ  ＬＡＮ）システムのＳＴＡ（Ｓｔａｔｉｏｎ）のデータ送信方法は、フィジカルプリアンブル（ｐｈｙｓｉｃａｌ  ｐｒｅａｍｂｌｅ）及びデータフィールドを含むフィジカルプロトコルデータユニット（ＰＰＤＵ：Ｐｈｙｓｉｃａｌ  Ｐｒｏｔｏｃｏｌ  Ｄａｔａ  Ｕｎｉｔ）を生成するステップとして、前記フィジカルプリアンブルは、レガシープリアンブル部分を含み、前記データフィールドのＤＦＴ／ＩＤＦＴ（Ｄｉｓｃｒｅｔｅ  Ｆｏｕｒｉｅｒ  Ｔｒａｎｓｆｏｒｍ／Ｉｎｖｅｒｓｅ  Ｄｉｓｃｒｅｔｅ  Ｆｏｕｒｉｅｒ  Ｔｒａｎｓｆｏｒｍ）周期は、前記レガシープリアンブル部分のＤＦＴ／ＩＤＦＴ周期の４倍である生成ステップと、前記ＰＰＤＵへのパディングシンボル追加可否を決定するステップと、前記パディングシンボルを追加することと決定された場合、前記パディングシンボルを生成して前記ＰＰＤＵに追加するステップと、及び前記ＰＰＤＵを送信するステップとを含む。
【００１６】
本発明の実施形態に係るＳＴＡのデータ送信方法において、前記ＰＰＤＵへのパディングシンボル追加可否を決定するステップは、受信ＳＴＡのカテゴリー情報、前記ＰＰＤＵに送信するデータに対するＭＣＳレベル、星状図レベル及び前記ＰＰＤＵに送信するデータに対するデータレートのうち、少なくとも１つに基づいて前記パディングシンボルの追加可否を決定できる。
【００１７】
本発明の実施形態に係るＳＴＡのデータ送信方法において、前記パディングシンボルは、受信ＳＴＡでデコードされず、前記送信ＰＰＤＵを含む送信信号に対する信号延長（ｓｉｇｎａｌ  ｅｘｔｅｎｓｉｏｎ）に該当し得る。
【００１８】
本発明の実施形態に係るＳＴＡのデータ送信方法は、前記受信ＳＴＡから前記カテゴリー情報を受信するステップをさらに含むことができる。
【００１９】
本発明の実施形態に係るＳＴＡのデータ送信方法において、前記追加されるパディングシンボルの数は、前記受信ＳＴＡのカテゴリーに基づいて決定されることができる。
【００２０】
本発明の実施形態に係るＳＴＡのデータ送信方法において、前記追加されるパディングシンボルは、前記ＰＰＤＵに送信されるデータに対するＦＥＣ（Ｆｏｒｗａｒｄ  Ｅｒｒｏｒ  Ｃｏｒｒｅｃｔｉｏｎ）エンコード後に付加されることができる。
【００２１】
また、本発明の実施形態に係るＷＬＡＮ（Ｗｉｒｅｌｅｓｓ  ＬＡＮ）システムのＳＴＡ（Ｓｔａｔｉｏｎ）装置は、無線信号を送信及び受信するＲＦ（Ｒａｄｉｏ  Ｆｒｅｑｕｅｎｃｙ）ユニットと、前記ＲＦユニットを制御するプロセッサとを備え、前記プロセッサは、フィジカルプリアンブル（ｐｈｙｓｉｃａｌ  ｐｒｅａｍｂｌｅ）及びデータフィールドを含むフィジカルプロトコルデータユニット（ＰＰＤＵ：Ｐｈｙｓｉｃａｌ  Ｐｒｏｔｏｃｏｌ  Ｄａｔａ  Ｕｎｉｔ）を生成し、前記フィジカルプリアンブルは、レガシープリアンブル部分を含み、前記データフィールドのＤＦＴ／ＩＤＦＴ（Ｄｉｓｃｒｅｔｅ  Ｆｏｕｒｉｅｒ  Ｔｒａｎｓｆｏｒｍ／Ｉｎｖｅｒｓｅ  Ｄｉｓｃｒｅｔｅ  Ｆｏｕｒｉｅｒ  Ｔｒａｎｓｆｏｒｍ）周期は、前記レガシープリアンブル部分のＤＦＴ／ＩＤＦＴ周期の４倍であり、前記ＰＰＤＵへのパディングシンボル追加可否を決定し、前記パディングシンボルを追加することと決定された場合、前記パディングシンボルを生成して前記ＰＰＤＵに追加し、及び前記ＰＰＤＵを送信する。
【００２２】
本発明の実施形態に係るＳＴＡにおいて、前記ＰＰＤＵへのパディングシンボル追加可否決定は、受信ＳＴＡのカテゴリー情報、前記ＰＰＤＵに送信するデータに対するＭＣＳレベル、星状図レベル及び前記ＰＰＤＵに送信するデータに対するデータレートのうち、少なくとも１つに基づいて行われることができる。
【００２３】
本発明の実施形態に係るＳＴＡにおいて、前記パディングシンボルは、受信ＳＴＡでデコードされず、前記送信ＰＰＤＵを含む送信信号に対する信号延長（ｓｉｇｎａｌ  ｅｘｔｅｎｓｉｏｎ）に該当し得る。
【００２４】
本発明の実施形態に係るＳＴＡにおいて、前記ＳＴＡ装置は、前記受信ＳＴＡから前記カテゴリー情報を受信するステップをさらに含むことができる。
【００２５】
本発明の実施形態に係るＳＴＡにおいて、前記追加されるパディングシンボルの数は、前記受信ＳＴＡのカテゴリーに基づいて決定されることができる。
【００２６】
本発明の実施形態に係るＳＴＡにおいて、前記追加されるパディングシンボルは、前記ＰＰＤＵに送信されるデータに対するＦＥＣ（Ｆｏｒｗａｒｄ  Ｅｒｒｏｒ  Ｃｏｒｒｅｃｔｉｏｎ）エンコード後に付加されることができる。
【発明の効果】
【００２７】
本発明によれば、ダミーシンボルの追加により、受信機がデータデコード時間を確保することで、ＦＦＴサイズ拡大によるＳＩＦＳ時間の不足の問題を解決できる。また、ＳＩＦＳに依存するレガシー送受信手順を１１ａｃシステムにも適用でき、既存システムとの互換性を向上させることもできる。
【００２８】
本発明は、送信データのＭＣＳレベルまたはデータレート、受信機の性能などを考慮してパディングシンボルを付加する。また、本発明は、付加するパディングシンボルの個数を受信機の性能に基づいて決定することができる。したがって、パディングシンボル付加によるリダンダンシの負担を最小化できる。
【００２９】
本発明によれば、８０２．１１ａｘシステムの４×  ＦＦＴサイズ使用による受信機の実現負担を減少させることができる。
【図面の簡単な説明】
【００３０】
【図１】本発明が適用されることができるＩＥＥＥ  ８０２．１１システムの一例を示す図である。
【図２】本発明が適用されることができるＩＥＥＥ  ８０２．１１システムの階層アーキテクチャー（ｌａｙｅｒ  ａｒｃｈｉｔｅｃｔｕｒｅ）の構造を例示する図である。
【図３】本発明が適用されることができる無線通信システムのｎｏｎ-ＨＴフォーマットＰＰＤＵ及びＨＴフォーマットＰＰＤＵを例示する。
【図４】本発明が適用されることができる無線通信システムのＶＨＴフォーマットＰＰＤＵフォーマットを例示する。
【図５】本発明が適用されることができる無線通信システムのＰＰＤＵのフォーマットを区分するための星状点（ｃｏｎｓｔｅｌｌａｔｉｏｎ）を例示する図である。
【図６】本発明が適用されることができるＩＥＥＥ  ８０２．１１システムのＭＡＣフレームフォーマットを例示する。
【図７】本発明が適用されることができる無線通信システムにおけるＭＡＣフレーム内のフレーム制御(Frame Control)フィールドを例示する図である。
【図８】本発明が適用されることができる無線通信システムにおけるＨＴ  ＣｏｎｔｒｏｌフィールドのＶＨＴフォーマットを例示する。
【図９】本発明が適用されることができる無線通信システムにおける任意バックオフ周期とフレーム送信手順を説明するための図である。
【図１０】本発明が適用されることができる無線通信システムにおけるＩＦＳ関係を例示する図である。
【図１１】本発明が適用されることができる無線通信システムにおける下向きリンクＭＵ−ＭＩＭＯ送信過程を例示する図である。
【図１２】本発明の一実施形態に係るＨＥ（Ｈｉｇｈ  Ｅｆｆｉｃｉｅｎｃｙ）フォーマットＰＰＤＵを例示する図である。
【図１３】本発明の一実施形態に係るＨＥフォーマットＰＰＤＵを例示する図である。
【図１４】本発明の一実施形態に係るＨＥフォーマットＰＰＤＵを例示する図である。
【図１５】本発明の一実施形態に係るＨＥフォーマットＰＰＤＵを例示する図である。
【図１６】本発明の一実施形態に係るＨＥフレーム構造を示す。
【図１７】本発明の実施形態に係るＶＨＴ性能エレメントを示す。
【図１８】本発明の一実施形態に係るＳＴＡ装置を示す。
【図１９】本発明の実施形態に係るＳＴＡ装置のデータ送信方法を示す。
【発明を実施するための形態】
【００３１】
以下、本発明にかかる好ましい実施の形態を添付された図面を参照して詳細に説明する。添付された図面のように、以下に開示される詳細な説明は、本発明の例示的な実施の形態を説明するためのものであり、本発明が実施されうる唯一の実施の形態を表そうとするものではない。以下の詳細な説明は、本発明の完全な理解を提供するために、具体的な細部事項を含む。しかしながら、当業者は、本発明がこのような具体的細部事項なしで実施されうることが分かる。
【００３２】
いくつかの場合、本発明の概念が不明になるのを避けるために、公知の構造及び装置は省略されるか、または各構造及び装置の核心機能を中心としたブロック図の形式で示されることができる。
【００３３】
以下の説明において使用される特定用語は、本発明の理解に役立つために提供されたものであり、このような特定用語の使用は、本発明の技術的思想から逸脱しない範囲内で他の形態に変更されることができる。
【００３４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ-ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ-ｏｒｔｈｏｇｏｎａｌ  ｍｕｌｔｉｐｌｅ  ａｃｃｅｓｓ）などのような多様な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により具現化されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により具現化されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ-Ｆｉ）、ＩＥＥＥ  ８０２．２０（ＷｉＭＡＸ）、ＩＥＥＥ  ８０２-２０、Ｅ-ＵＴＲＡ（ｅｖｏｌｖｅｄ  ＵＴＲＡ）などのような無線技術により具現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ-ＵＴＲＡを使用するＥ-ＵＭＴＳ（ｅｖｏｌｖｅｄ  ＵＭＴＳ）の一部として、ダウンリンクでＯＦＤＭＡを採用しアップリンクでＳＣ-ＦＤＭＡを採用する。ＬＴＥ-Ａ（ａｄｖａｎｃｅｄ）は、３ＧＰＰ  ＬＴＥの進化である。
【００３５】
本発明の実施の形態は、無線接続システムであるＩＥＥＥ  ８０２、３ＧＰＰ及び３ＧＰＰ２のうち、少なくとも１つに開示された標準文書により裏付けられることができる。すなわち、本発明の実施の形態のうち、本発明の技術的思想を明らかに表すために説明しないステップまたは部分は、前記文書により裏付けられることができる。また、本文書において開示しているすべての用語は、前記標準文書により説明されることができる。
【００３６】
説明を明確にするために、ＩＥＥＥ  ８０２．１１システムを中心に述べるが、本発明の技術的特徴がこれに制限されるものではない。
【００３７】
システム一般
図１は、本発明が適用されることができるＩＥＥＥ  ８０２．１１システムの一例を示す図である。
【００３８】
ＩＥＥＥ  ８０２．１１構造は、複数個の構成要素から構成されることができ、これらの相互作用により上位階層に対してトランスペアレントな（ｔｒａｎｓｐａｒｅｎｔ）ステーション（ＳＴＡ：Ｓｔａｔｉｏｎ）移動性を支援する無線通信システムが提供されることができる。基本サービスセット（ＢＳＳ：Ｂａｓｉｃ  Ｓｅｒｖｉｃｅ  Ｓｅｔ）は、ＩＥＥＥ  ８０２．１１システムでの基本的な構成ブロックに該当できる。
【００３９】
図１では、３個のＢＳＳ（ＢＳＳ１ないしＢＳＳ３）が存在し、それぞれのＢＳＳのメンバーとして２個のＳＴＡが含まれること（ＳＴＡ１及びＳＴＡ２は、ＢＳＳ１に含まれ、ＳＴＡ３及びＳＴＡ４は、ＢＳＳ２に含まれ、ＳＴＡ５及びＳＴＡ６は、ＢＳＳ３に含まれる）を例示的に示す。
【００４０】
図１においてＢＳＳを示す楕円は、該当ＢＳＳに含まれたＳＴＡが通信を維持するカバレッジ領域を示すものと理解されることができる。この領域を基本サービス領域（ＢＳＡ：Ｂａｓｉｃ  Ｓｅｒｖｉｃｅ  Ａｒｅａ）と称することができる。ＳＴＡがＢＳＡの外に移動するようになると、該当ＢＳＡ内の他のＳＴＡと直接的に通信できなくなる。
【００４１】
ＩＥＥＥ  ８０２．１１システムにおいて最も基本的なタイプのＢＳＳは、独立的なＢＳＳ（ＩＢＳＳ：Ｉｎｄｅｐｅｎｄｅｎｔ  ＢＳＳ）である。例えば、ＩＢＳＳは、２個のＳＴＡだけから構成された最小の形態を有することができる。また、最も単純な形態で他の構成要素が省略されている図１のＢＳＳ３がＩＢＳＳの代表的な例示に該当できる。このような構成は、ＳＴＡが直接通信できる場合に可能である。また、このような形態のＬＡＮは、予め計画されて構成されることではなく、ＬＡＮが必要な場合に構成されることができ、これをアドホック（ａｄ-ｈｏｃ）ネットワークと称することもできる。
【００４２】
ＳＴＡのオンまたはオフ、ＳＴＡがＢＳＳ領域に入ったり行く等により、ＢＳＳでのＳＴＡのメンバーシップが動的に変更されることができる。ＢＳＳのメンバーになるためには、ＳＴＡは、同期化過程を利用してＢＳＳにジョインできる。ＢＳＳ基盤構造のすべてのサービスにアクセスするためには、ＳＴＡは、ＢＳＳに連係（ａｓｓｏｃｉａｔｅｄ）されなければならない。このような連係（ａｓｓｏｃｉａｔｉｏｎ）は、動的に設定されることができ、分配システムサービス（ＤＳＳ：Ｄｉｓｔｒｉｂｕｔｉｏｎ  Ｓｙｓｔｅｍ  Ｓｅｒｖｉｃｅ）の利用を含むことができる。
【００４３】
８０２．１１システムにおいて直接的なＳＴＡ-対-ＳＴＡの距離は、物理階層（ＰＨＹ：ｐｈｙｓｉｃａｌ）性能によって制限されることができる。ある場合には、このような距離の限界が充分でありうるが、場合によっては、より遠くの距離のＳＴＡ間の通信が必要でありうるときもある。拡張されたカバレッジを支援するために、分配システム（ＤＳ：Ｄｉｓｔｒｉｂｕｔｉｏｎ  Ｓｙｓｔｅｍ）が構成されることができる。
【００４４】
ＤＳは、ＢＳＳが相互接続する構造を意味する。具体的に、図１のように、ＢＳＳが独立的に存在する代わりに、複数のＢＳＳから構成されたネットワークの拡張された形態の構成要素としてＢＳＳが存在することもできる。
【００４５】
ＤＳは、論理的な概念であり、分配システム媒体（ＤＳＭ：Ｄｉｓｔｒｉｂｕｔｉｏｎ  Ｓｙｓｔｅｍ  Ｍｅｄｉｕｍ）の特性によって特定されることができる。これと関連して、ＩＥＥＥ  ８０２．１１標準では、無線媒体（ＷＭ：Ｗｉｒｅｌｅｓｓ  Ｍｅｄｉｕｍ）と分配システム媒体（ＤＳＭ：Ｄｉｓｔｒｉｂｕｔｉｏｎ  Ｓｙｓｔｅｍ  Ｍｅｄｉｕｍ）を論理的に区分している。各々の論理的媒体は、相違する目的のために使用され、相違する構成要素によって使用される。ＩＥＥＥ  ８０２．１１標準の定義では、このような媒体を同じことに制限することもせず相違することに制限することもしない。このように複数の媒体が論理的に相違するという点で、ＩＥＥＥ  ８０２．１１システムの構造（ＤＳ構造または他のネットワーク構造）の柔軟性が説明されることができる。すなわち、ＩＥＥＥ  ８０２．１１システム構造は、多様に具現化されることができ、各々の具現例の物理的な特性によって独立的に該当システム構造が特定されることができる。
【００４６】
ＤＳは、複数のＢＳＳの途切れない（ｓｅａｍｌｅｓｓ）統合を提供し、目的地へのアドレスを扱うのに必要な論理的サービスを提供することによって、移動装置を支援できる。
【００４７】
ＡＰは、関連したＳＴＡに対してＷＭを介してＤＳへのアクセスを可能にし、ＳＴＡ機能性を有する個体を意味する。ＡＰを介してＢＳＳ及びＤＳ間のデータ移動が行われることができる。例えば、図１に示すＳＴＡ２及びＳＴＡ３は、ＳＴＡの機能性を有し、かつ関連したＳＴＡ（ＳＴＡ１及びＳＴＡ４）がＤＳにアクセスするようにする機能を提供する。また、すべてのＡＰは、基本的にＳＴＡに該当するので、すべてのＡＰは、アドレス可能な個体である。ＷＭ上での通信のために、ＡＰによって使用されるアドレスとＤＳＭ上での通信のために、ＡＰによって使用されるアドレスは、必ず同一である必要はない。
【００４８】
ＡＰに関連したＳＴＡのうちの１つからそのＡＰのＳＴＡアドレスに送信されるデータは、常に非制御ポート（ｕｎｃｏｎｔｒｏｌｌｅｄ  ｐｏｒｔ）で受信され、ＩＥＥＥ  ８０２．１×ポートアクセス個体によって処理されることができる。また、制御ポート（ｃｏｎｔｒｏｌｌｅｄ  ｐｏｒｔ）が認証されると、送信データ（またはフレーム）は、ＤＳに伝達されることができる。
【００４９】
任意の（ａｒｂｉｔｒａｒｙ）サイズ及び複雑度を有する無線ネットワークがＤＳ及びＢＳＳから構成されることができる。ＩＥＥＥ  ８０２．１１システムでは、このような方式のネットワークを拡張されたサービスセット（ＥＳＳ：Ｅｘｔｅｎｄｅｄ  Ｓｅｒｖｉｃｅ  Ｓｅｔ）ネットワークと称する。ＥＳＳは、１つのＤＳに接続したＢＳＳの集合に該当できる。しかしながら、ＥＳＳは、ＤＳを含まない。ＥＳＳネットワークは、論理リンク制御（ＬＬＣ：Ｌｏｇｉｃａｌ  Ｌｉｎｋ  Ｃｏｎｔｒｏｌ）階層でＩＢＳＳネットワークに見える点が特徴である。ＥＳＳに含まれるＳＴＡは、互いに通信でき、移動ＳＴＡは、ＬＬＣにトランスペアレント（ｔｒａｎｓｐａｒｅｎｔ）に１つのＢＳＳから他のＢＳＳに（同じＥＳＳ内で）移動できる。
【００５０】
ＩＥＥＥ  ８０２．１１システムでは、図１でのＢＳＳの相対的な物理的位置に対してなんにも仮定しなく、次のような形態が全部可能である。
【００５１】
具体的に、ＢＳＳは、部分的に重なることができ、これは、連続的なカバレッジを提供するために一般に利用される形態である。また、ＢＳＳは、物理的に接続されていなくても良く、論理的には、ＢＳＳ間の距離に制限はない。また、ＢＳＳは、物理的に同じ位置に位置でき、これは、リダンダンシー（ｒｅｄｕｎｄａｎｃｙ）を提供するために利用されることができる。また、１つ（または１つ以上の）ＩＢＳＳまたはＥＳＳネットワークが１つまたはそれ以上のＥＳＳネットワークとして同じ空間に物理的に存在できる。これは、ＥＳＳネットワークが存在する位置にａｄ-ｈｏｃネットワークが動作する場合、相違する機関（ｏｒｇａｎｉｚａｔｉｏｎｓ）によって物理的に重なるＩＥＥＥ  ８０２．１１ネットワークが構成される場合、または同じ位置で２つ以上の相違したアクセス及びセキュリティー政策が必要な場合などでのＥＳＳネットワーク形態に該当できる。
【００５２】
ＷＬＡＮシステムにおけるＳＴＡは、ＩＥＥＥ  ８０２．１１の媒体接続制御（ＭＡＣ：Ｍｅｄｉｕｍ  Ａｃｃｅｓｓ  Ｃｏｎｔｒｏｌ）／ＰＨＹ規定に従って動作する装置である。ＳＴＡの機能がＡＰと個別的に区分されない限り、ＳＴＡは、ＡＰ  ＳＴＡと非-ＡＰ  ＳＴＡ（ｎｏｎ-ＡＰ  ＳＴＡ）を含むことができる。ただし、ＳＴＡとＡＰとの間に通信が行われるとするとき、ＳＴＡは、ｎｏｎ-ＡＰ  ＳＴＡと理解されることができる。図１の例示において、ＳＴＡ１、ＳＴＡ４、ＳＴＡ５及びＳＴＡ６は、ｎｏｎ-ＡＰ  ＳＴＡに該当し、ＳＴＡ２及びＳＴＡ３は、ＡＰ  ＳＴＡに該当する。
【００５３】
Ｎｏｎ-ＡＰ  ＳＴＡは、ラップトップパソコン、移動電話機のように、一般にユーザが直接扱う装置に該当する。以下の説明において、ｎｏｎ-ＡＰ  ＳＴＡは、無線装置（ｗｉｒｅｌｅｓｓ  ｄｅｖｉｃｅ）、端末（ｔｅｒｍｉｎａｌ）、ユーザ装置（ＵＥ：Ｕｓｅｒ  Ｅｑｕｉｐｍｅｎｔ）、移動局（ＭＳ：Ｍｏｂｉｌｅ  Ｓｔａｔｉｏｎ）、移動端末（Ｍｏｂｉｌｅ  Ｔｅｒｍｉｎａｌ）、無線端末（ｗｉｒｅｌｅｓｓ  ｔｅｒｍｉｎａｌ）、無線送受信ユニット（ＷＴＲＵ：Ｗｉｒｅｌｅｓｓ  Ｔｒａｎｓｍｉｔ／Ｒｅｃｅｉｖｅ  Ｕｎｉｔ）、ネットワークインタフェース装置（ｎｅｔｗｏｒｋ  ｉｎｔｅｒｆａｃｅ  ｄｅｖｉｃｅ）、ＭＴＣ（Ｍａｃｈｉｎｅ-Ｔｙｐｅ  Ｃｏｍｍｕｎｉｃａｔｉｏｎ）装置、Ｍ２Ｍ（Ｍａｃｈｉｎｅ-ｔｏ-Ｍａｃｈｉｎｅ）装置などと呼ぶことができる。
【００５４】
また、ＡＰは、他の無線通信分野での基地局（ＢＳ：Ｂａｓｅ  Ｓｔａｔｉｏｎ）、ノード-Ｂ（Ｎｏｄｅ-Ｂ）、発展したノード-Ｂ（ｅＮＢ：ｅｖｏｌｖｅｄ  Ｎｏｄｅ-Ｂ）、基底送受信システム（ＢＴＳ：Ｂａｓｅ  Ｔｒａｎｓｃｅｉｖｅｒ  Ｓｙｓｔｅｍ）、フェムト基地局（Ｆｅｍｔｏ  ＢＳ）などに対応する概念である。
【００５５】
以下、本明細書においてダウンリンク（ＤＬ：ｄｏｗｎｌｉｎｋ）は、ＡＰからｎｏｎ-ＡＰ  ＳＴＡへの通信を意味し、アップリンク（ＵＬ：ｕｐｌｉｎｋ）は、ｎｏｎ-ＡＰ  ＳＴＡからＡＰへの通信を意味する。ダウンリンクにおける送信機は、ＡＰの一部で、受信機は、ｎｏｎ-ＡＰ  ＳＴＡの一部でありうる。アップリンクにおける送信機は、ｎｏｎ-ＡＰ  ＳＴＡの一部で、受信機は、ＡＰの一部でありうる。
【００５６】
図２は、本発明が適用されることができるＩＥＥＥ  ８０２．１１システムの階層アーキテクチャー（ｌａｙｅｒ  ａｒｃｈｉｔｅｃｔｕｒｅ）の構造を例示する図である。
【００５７】
図２を参照すると、ＩＥＥＥ  ８０２．１１システムの階層アーキテクチャーは、ＭＡＣ副階層（ＭＡＣ  ｓｕｂｌａｙｅｒ）とＰＨＹ副階層（ＰＨＹ  ｓｕｂｌａｙｅｒ）を含むことができる。
【００５８】
ＰＨＹ  ｓｕｂｌａｙｅｒは、ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）個体（ｅｎｔｉｔｙ）とＰＭＤ（Ｐｈｙｓｉｃａｌ  Ｍｅｄｉｕｍ  Ｄｅｐｅｎｄｅｎｔ）個体とに区分されることもできる。この場合、ＰＬＣＰ個体は、ＭＡＣ  ｓｕｂｌａｙｅｒとデータフレームとを接続する機能を果たし、ＰＭＤ個体は、２個またはそれ以上のＳＴＡとデータとを無線で送受信する機能を果たす。
【００５９】
ＭＡＣ  ｓｕｂｌａｙｅｒとＰＨＹ  ｓｕｂｌａｙｅｒとも、管理個体（Ｍａｎａｇｅｍｅｎｔ  Ｅｎｔｉｔｙ）を含むことができ、それぞれＭＡＣサブ階層管理個体（ＭＬＭＥ：ＭＡＣ  ｓｕｂｌａｙｅｒ  Ｍａｎａｇｅｍｅｎｔ  Ｅｎｔｉｔｙ）とＰＨＹサブ階層管理個体（ＰＬＭＥ：Ｐｈｙｓｉｃａｌ  Ｓｕｂｌａｙｅｒ  Ｍａｎａｇｅｍｅｎｔ  Ｅｎｔｉｔｙ）と呼ぶことができる。これらの管理個体は、階層管理関数の動作を介して階層管理サービスインタフェースを提供する。ＭＬＭＥは、ＰＬＭＥに接続されてＭＡＣ  ｓｕｂｌａｙｅｒの管理動作（ｍａｎａｇｅｍｅｎｔ  ｏｐｅｒａｔｉｏｎ）を行うことができ、同様に、ＰＬＭＥもＭＬＭＥに接続されてＰＨＹ  ｓｕｂｌａｙｅｒの管理動作（ｍａｎａｇｅｍｅｎｔ  ｏｐｅｒａｔｉｏｎ）を行うことができる。
【００６０】
正確なＭＡＣ動作を提供するために、ＳＭＥ（Ｓｔａｔｉｏｎ  Ｍａｎａｇｅｍｅｎｔ  Ｅｎｔｉｔｙ）が各ＳＴＡ内に存在できる。ＳＭＥは、各階層と独立的な管理個体であって、ＭＬＭＥとＰＬＭＥから階層基盤状態情報を収集するか、または各階層の特定パラメータの値を設定する。ＳＭＥは、一般システム管理個体の代わりに、このような機能を行うことができ、標準管理プロトコルを具現できる。
【００６１】
ＭＬＭＥ、ＰＬＭＥ及びＳＭＥは、プリミティブ（ｐｒｉｍｉｔｉｖｅ）を基盤とする多様な方法で相互作用（ｉｎｔｅｒａｃｔ）できる。具体的に、ＸＸ-ＧＥＴ．ｒｅｑｕｅｓｔプリミティブは、管理情報ベース属性（ＭＩＢ  ａｔｔｒｉｂｕｔｅ：Ｍａｎａｇｅｍｅｎｔ  Ｉｎｆｏｒｍａｔｉｏｎ  Ｂａｓｅ  ａｔｔｒｉｂｕｔｅ）の値を要請するために使用され、ＸＸ-ＧＥＴ．ｃｏｎｆｉｒｍプリミティブは、状態が「ＳＵＣＣＥＳＳ」であると、該当ＭＩＢ属性値をリターン（ｒｅｔｕｒｎ）し、その他の場合には、状態フィールドにエラー表示をしてリターンする。ＸＸ-ＳＥＴ．ｒｅｑｕｅｓｔプリミティブは、指定されたＭＩＢ属性を与えた値に設定するように要請するために使用される。ＭＩＢ属性が特定動作を意味している場合、この要請は、その特定動作の実行を要請する。そして、ＸＸ-ＳＥＴ．ｃｏｎｆｉｒｍプリミティブは、状態が「ＳＵＣＣＥＳＳ」であると、これは指定されたＭＩＢ属性が要請された値に設定されたことを意味する。その他の場合には、状態フィールドは、エラー状況を表す。このＭＩＢ属性が特定動作を意味する場合、このプリミティブは、該当動作が行われたことを確認してくれることができる。
【００６２】
各ｓｕｂｌａｙｅｒでの動作を簡略に説明すると、以下のとおりである。
【００６３】
ＭＡＣ  ｓｕｂｌａｙｅｒは、上位階層（例えば、ＬＬＣ階層）から伝達されたＭＡＣサービスデータユニット（ＭＳＤＵ：ＭＡＣ  Ｓｅｒｖｉｃｅ  Ｄａｔａ  Ｕｎｉｔ）またはＭＳＤＵのフラグメント（ｆｒａｇｍｅｎｔ）にＭＡＣヘッダ（ｈｅａｄｅｒ）とフレームチェックシーケンス（ＦＣＳ：Ｆｒａｍｅ  Ｃｈｅｃｋ  Ｓｅｑｕｅｎｃｅ）を付着して、１つ以上のＭＡＣプロトコルデータユニット（ＭＰＤＵ：ＭＡＣ  Ｐｒｏｔｏｃｏｌ  Ｄａｔａ  Ｕｎｉｔ）を生成する。生成されたＭＰＤＵは、ＰＨＹ  ｓｕｂｌａｙｅｒに伝達される。
【００６４】
Ａ-ＭＳＤＵ（ａｇｇｒｅｇａｔｅｄ  ＭＳＤＵ）技法（ｓｃｈｅｍｅ）が用いられる場合、複数のＭＳＤＵは、単一のＡ-ＭＳＤＵ（ａｇｇｒｅｇａｔｅｄ  ＭＳＤＵ）に併合されることができる。ＭＳＤＵ併合動作は、ＭＡＣ上位階層で行われることができる。Ａ-ＭＳＤＵは、単一のＭＰＤＵ（フラグメント化（ｆｒａｇｍｅｎｔ）されない場合）でＰＨＹ  ｓｕｂｌａｙｅｒに伝達される。
【００６５】
ＰＨＹ  ｓｕｂｌａｙｅｒは、ＭＡＣ  ｓｕｂｌａｙｅｒから伝達された物理サービスデータユニット（ＰＳＤＵ：Ｐｈｙｓｉｃａｌ  Ｓｅｒｖｉｃｅ  Ｄａｔａ  Ｕｎｉｔ）に物理階層送受信機により必要な情報を含む付加フィールドを付け加えて、物理プロトコルデータユニット（ＰＰＤＵ：Ｐｈｙｓｉｃａｌ  Ｐｒｏｔｏｃｏｌ  Ｄａｔａ  Ｕｎｉｔ）を生成する。ＰＰＤＵは、無線媒体を介して送信される。
【００６６】
ＰＳＤＵは、ＰＨＹ  ｓｕｂｌａｙｅｒがＭＡＣ  ｓｕｂｌａｙｅｒから受信したものであり、ＭＰＤＵは、ＭＡＣ  ｓｕｂｌａｙｅｒがＰＨＹ  ｓｕｂｌａｙｅｒに送信したものであるから、ＰＳＤＵは、実質的にＭＰＤＵと同一である。
【００６７】
Ａ-ＭＰＤＵ（ａｇｇｒｅｇａｔｅｄ  ＭＰＤＵ）技法（ｓｃｈｅｍｅ）が用いられる場合、複数のＭＰＤＵ（このとき、各ＭＰＤＵは、Ａ-ＭＳＤＵを運ぶことができる。）は、単一のＡ-ＭＰＤＵに併合されることができる。ＭＰＤＵ併合動作は、ＭＡＣ下位階層で行われることができる。Ａ-ＭＰＤＵは、多様なタイプのＭＰＤＵ（例えば、ＱｏＳデータ、ＡＣＫ（Ａｃｋｎｏｗｌｅｄｇｅ）、ブロックＡＣＫ（Ｂｌｏｃｋ  Ａｃｋ）等）が併合されることができる。ＰＨＹ  ｓｕｂｌａｙｅｒは、ＭＡＣ  ｓｕｂｌａｙｅｒから単一のＰＳＤＵとしてＡ-ＭＰＤＵを受信する。すなわち、ＰＳＤＵは、複数のＭＰＤＵから構成される。したがって、Ａ-ＭＰＤＵは、単一のＰＰＤＵ内で無線媒体を介して送信される。
【００６８】
ＰＰＤＵ（Ｐｈｙｓｉｃａｌ  Ｐｒｏｔｏｃｏｌ  Ｄａｔａ  Ｕｎｉｔ）フォーマット
ＰＰＤＵ（Ｐｈｙｓｉｃａｌ  Ｐｒｏｔｏｃｏｌ  Ｄａｔａ  Ｕｎｉｔ）は、物理階層から発生されるデータブロックを意味する。以下、本発明が適用されうるＩＥＥＥ  ８０２．１１  ＷＬＡＮシステムに基づいてＰＰＤＵフォーマットを説明する。
【００６９】
図３は、本発明が適用されうる無線通信システムのｎｏｎ-ＨＴフォーマットＰＰＤＵ及びＨＴフォーマットＰＰＤＵを例示する。
【００７０】
図３の（ａ）は、ＩＥＥＥ  ８０２．１１ａ／ｇシステムを支援するためのｎｏｎ-ＨＴフォーマットＰＰＤＵを例示する。ｎｏｎ-ＨＴ  ＰＰＤＵは、レガシー（ｌｅｇａｃｙ）ＰＰＤＵとも呼ばれることができる。
【００７１】
図３の（ａ）を参照すると、ｎｏｎ-ＨＴフォーマットＰＰＤＵは、Ｌ-ＳＴＦ（Ｌｅｇａｃｙ（またはＮｏｎ-ＨＴ）Ｓｈｏｒｔ  Ｔｒａｉｎｉｎｇ  ｆｉｅｌｄ）、Ｌ-ＬＴＦ（Ｌｅｇａｃｙ（またはＮｏｎ-ＨＴ）Ｌｏｎｇ  Ｔｒａｉｎｉｎｇ  ｆｉｅｌｄ）及びＬ-ＳＩＧ（Ｌｅｇａｃｙ（またはＮｏｎ-ＨＴ）ＳＩＧＮＡＬ）フィールドから構成されるレガシーフォーマットプリアンブルとデータフィールドとを含んで構成される。
【００７２】
Ｌ-ＳＴＦは、短いトレーニングＯＦＤＭ（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ-ＳＴＦは、フレームタイミング取得（ｆｒａｍｅ  ｔｉｍｉｎｇ  ａｃｑｕｉｓｉｔｉｏｎ）、自動利得制御（ＡＧＣ：Ａｕｔｏｍａｔｉｃ  Ｇａｉｎ  Ｃｏｎｔｒｏｌ）、ダイバーシチ検出（ｄｉｖｅｒｓｉｔｙ  ｄｅｔｅｃｔｉｏｎ）、概略的な周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使用されることができる。
【００７３】
Ｌ-ＬＴＦは、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ-ＬＴＦは、精密な周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル推定（ｃｈａｎｎｅｌ  ｅｓｔｉｍａｔｉｏｎ）のために使用されることができる。
【００７４】
Ｌ-ＳＩＧフィールドは、４ビットのレート（Ｒａｔｅ）フィールド、１ビットの予備（Ｒｅｓｅｒｖｅｄ）ビット、１２ビットの長さ（Ｌｅｎｇｔｈ）フィールド、１ビットのパリティビット、６ビットの信号テール（Ｓｉｇｎａｌ  Ｔａｉｌ）フィールドで構成されることができる。
【００７５】
レートフィールドは、送信率情報を含み、長さフィールドは、ＰＳＤＵのオクテットの数を指示する。
【００７６】
図３の（ｂ）は、ＩＥＥＥ  ８０２．１１ｎシステム及びＩＥＥＥ  ８０２．１１ａ／ｇシステムを全部支援するためのＨＴ混合フォーマットＰＰＤＵ（ＨＴ-ｍｉｘｅｄ  ｆｏｒｍａｔ  ＰＰＤＵ）を例示する。
【００７７】
図３の（ｂ）を参照すると、ＨＴ混合フォーマットＰＰＤＵは、Ｌ-ＳＴＦ、Ｌ-ＬＴＦ及びＬ-ＳＩＧフィールドから構成されるレガシーフォーマットプリアンブルとＨＴ-ＳＩＧ（ＨＴ-Ｓｉｇｎａｌ）フィールド、ＨＴ-ＳＴＦ（ＨＴ  Ｓｈｏｒｔ  Ｔｒａｉｎｉｎｇ  ｆｉｅｌｄ）、ＨＴ-ＬＴＦ（ＨＴ  Ｌｏｎｇ  Ｔｒａｉｎｉｎｇ  ｆｉｅｌｄ）から構成されるＨＴフォーマットプリアンブル及びデータフィールドを含んで構成される。
【００７８】
Ｌ-ＳＴＦ、Ｌ-ＬＴＦ及びＬ-ＳＩＧフィールドは、下位互換性（ｂａｃｋｗａｒｄ  ｃｏｍｐａｔｉｂｉｌｉｔｙ）のためのレガシーフィールドを意味するので、Ｌ-ＳＴＦからＬ-ＳＩＧフィールドまでｎｏｎ-ＨＴフォーマットと同一である。Ｌ-ＳＴＡは、ＨＴ混合ＰＰＤＵを受信してもＬ-ＬＴＦ、Ｌ-ＬＴＦ及びＬ-ＳＩＧフィールドを介してデータフィールドを解析できる。ただし、Ｌ-ＬＴＦは、ＨＴ-ＳＴＡがＨＴ混合ＰＰＤＵを受信しＬ-ＳＩＧフィールド及びＨＴ-ＳＩＧフィールドを復調するために行うチャネル推定のための情報をさらに含むことができる。
【００７９】
ＨＴ-ＳＴＡは、レガシーフィールドの後にくるＨＴ-ＳＩＧフィールド利用して、ＨＴ-混合フォーマットＰＰＤＵであることが分かり、これに基づいてデータフィールドをデコードできる。
【００８０】
ＨＴ-ＬＴＦフィールドは、データフィールドの復調のためのチャネル推定に使用されることができる。ＩＥＥＥ  ８０２．１１ｎは、ＳＵ-ＭＩＭＯ（Ｓｉｎｇｌｅ-Ｕｓｅｒ  Ｍｕｌｔｉ-Ｉｎｐｕｔ  ａｎｄ  Ｍｕｌｔｉ-Ｏｕｔｐｕｔ）を支援するので、複数の空間ストリームに送信されるデータフィールドの各々に対して、チャネル推定のためにＨＴ-ＬＴＦフィールドは、複数から構成されることができる。
【００８１】
ＨＴ-ＬＴＦフィールドは、空間ストリームに対するチャネル推定のために使用されるデータＨＴ-ＬＴＦ（ｄａｔａ  ＨＴ-ＬＴＦ）とフルチャネルサウンディング（ｆｕｌｌ  ｃｈａｎｎｅｌ  ｓｏｕｎｄｉｎｇ）のために追加的に使用される拡張ＨＴ-ＬＴＦ（ｅｘｔｅｎｓｉｏｎ  ＨＴ-ＬＴＦ）から構成されることができる。したがって、複数のＨＴ-ＬＴＦは、送信される空間ストリームの数より同じであるか、または多くありうる。
【００８２】
ＨＴ-混合フォーマットＰＰＤＵは、Ｌ-ＳＴＡも受信してデータを取得できるようにするために、Ｌ-ＳＴＦ、Ｌ-ＬＴＦ及びＬ-ＳＩＧフィールドが最も速く送信される。以後、ＨＴ-ＳＴＡのために送信されるデータの復調及びデコードのためにＨＴ-ＳＩＧフィールドが送信される。
【００８３】
ＨＴ-ＳＩＧフィールドまでは、ビーム形成を行わないで送信して、Ｌ-ＳＴＡ及びＨＴ-ＳＴＡが該当ＰＰＤＵを受信してデータを取得できるようにし、以後に送信されるＨＴ-ＳＴＦ、ＨＴ-ＬＴＦ及びデータフィールドは、プリコーディングを介した無線信号送信が行われる。ここで、プリコーディングをして受信するＳＴＡでプリコーディングにより電力が可変される部分を勘案できるように、ＨＴ-ＳＴＦフィールドを送信し、その以後に複数のＨＴ-ＬＴＦ及びデータフィールドを送信する。
【００８４】
図３の（ｃ）は、ＩＥＥＥ  ８０２．１１ｎシステムのみを支援するためのＨＴ-ＧＦフォーマットＰＰＤＵ（ＨＴ-ｇｒｅｅｎｆｉｅｌｄ  ｆｏｒｍａｔ  ＰＰＤＵ）を例示する。
【００８５】
図３の（ｃ）を参照すると、ＨＴ-ＧＦフォーマットＰＰＤＵは、ＨＴ-ＧＦ-ＳＴＦ、ＨＴ-ＬＴＦ１、ＨＴ-ＳＩＧフィールド、複数のＨＴ-ＬＴＦ２及びデータフィールドを含む。
【００８６】
ＨＴ-ＧＦ-ＳＴＦは、フレームタイミング取得及びＡＧＣのために使用される。
【００８７】
ＨＴ-ＬＴＦ１は、チャネル推定のために使用される。
【００８８】
ＨＴ-ＳＩＧフィールドは、データフィールドの復調及びデコードのために使用される。
【００８９】
ＨＴ-ＬＴＦ２は、データフィールドの復調のためのチャネル推定に使用される。同様に、ＨＴ-ＳＴＡは、ＳＵ-ＭＩＭＯを使用するので、複数の空間ストリームに送信されるデータフィールドの各々に対してチャネル推定を要するので、ＨＴ-ＬＴＦ２は、複数から構成されることができる。
【００９０】
複数のＨＴ-ＬＴＦ２は、ＨＴ混合ＰＰＤＵのＨＴ-ＬＴＦフィールドと同様に、複数のＤａｔａ  ＨＴ-ＬＴＦと複数の拡張ＨＴ-ＬＴＦから構成されることができる。
【００９１】
図３の（ａ）ないし（ｃ）におけるデータフィールドは、ペイロード（ｐａｙｌｏａｄ）として、サービスフィールド（ＳＥＲＶＩＣＥ  ｆｉｅｌｄ）、スクランブルされたＰＳＤＵ（ｓｃｒａｍｂｌｅｄ  ＰＳＤＵ）フィールド、テールビット（Ｔａｉｌ  ｂｉｔｓ）、パディングビット（ｐａｄｄｉｎｇ  ｂｉｔｓ）を含むことができる。データフィールドのすべてのビットは、スクランブルされる。
【００９２】
図３（ｄ）は、データフィールドに含まれるサービスフィールドを示す。サービスフィールドは、２０ビットを有する。各ビットは、０番から１５番まで付与され、０番ビットから順次に送信される。０番から６番ビットは、０に設定され、受信端内のデスクランブラー（ｄｅｓｃｒａｍｂｌｅｒ）を同期化するために使用される。
【００９３】
ＩＥＥＥ  ８０２．１１ａｃ  ＷＬＡＮシステムは、無線チャネルを效率的に利用するために、複数のＳＴＡが同時にチャネルにアクセスするダウンリンクＭＵ-ＭＩＭＯ（Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ）方式の送信を支援する。ＭＵ-ＭＩＭＯ送信方式によれば、ＡＰがＭＩＭＯペアリング（ｐａｉｒｉｎｇ）された１つ以上のＳＴＡに同時にパケットを送信できる。
【００９４】
ＤＬ  ＭＵ送信（ｄｏｗｎｌｉｎｋ  ｍｕｌｔｉ-ｕｓｅｒ  ｔｒａｎｓｍｉｓｓｉｏｎ）は、１つ以上のアンテナを介してＡＰが同じ時間資源を介してＰＰＤＵを複数のｎｏｎ-ＡＰ  ＳＴＡに送信する技術を意味する。
【００９５】
以下、ＭＵ  ＰＰＤＵは、ＭＵ-ＭＩＭＯ技術またはＯＦＤＭＡ技術を利用して１つ以上のＳＴＡのための１つ以上のＰＳＤＵを伝達するＰＰＤＵを意味する。そして、ＳＵ  ＰＰＤＵは、１つのＰＳＤＵのみを伝達できるか、またはＰＳＤＵが存在しないフォーマットを有したＰＰＤＵを意味する。
【００９６】
ＭＵ-ＭＩＭＯ送信のために、８０２．１１ｎ制御情報のサイズに比べてＳＴＡに送信される制御情報のサイズが相対的に大きくありうる。ＭＵ-ＭＩＭＯ支援のために追加的に要求される制御情報の一例として、各ＳＴＡにより受信される空間的ストリーム（ｓｐａｔｉａｌ  ｓｔｒｅａｍ）の数を指示する情報、各ＳＴＡに送信されるデータの変調及びコーディング関連情報などがこれに該当することができる。
【００９７】
したがって、複数のＳＴＡに同時にデータサービスを提供するためにＭＵ-ＭＩＭＯ送信が行われるとき、送信される制御情報のサイズは、受信するＳＴＡの数に応じて増加されることができる。
【００９８】
このように増加される制御情報のサイズを效率的に送信するために、ＭＵ-ＭＩＭＯ送信のために要求される複数の制御情報は、すべてのＳＴＡに共通的に要求される共通制御情報（ｃｏｍｍｏｎ  ｃｏｎｔｒｏｌ  ｉｎｆｏｒｍａｔｉｏｎ）と特定ＳＴＡに個別的に要求される専用制御情報（ｄｅｄｉｃａｔｅｄ  ｃｏｎｔｒｏｌ  ｉｎｆｏｒｍａｔｉｏｎ）の２とおりのタイプの情報に区分して送信されることができる。
【００９９】
図４は、本発明が適用されることができる無線通信システムのＶＨＴフォーマットＰＰＤＵフォーマットを例示する。
【０１００】
図４（ａ）は、ＩＥＥＥ  ８０２．１１ａｃシステムを支援するためのＶＨＴフォーマットＰＰＤＵ（ＶＨＴ  ｆｏｒｍａｔ  ＰＰＤＵ）を例示する。
【０１０１】
図４（ａ）を参照すると、ＶＨＴフォーマットＰＰＤＵは、Ｌ-ＳＴＦ、Ｌ-ＬＴＦ及びＬ-ＳＩＧフィールドで構成されるレガシーフォーマットプリアンブルとＶＨＴ-ＳＩＧ-Ａ（ＶＨＴ-Ｓｉｇｎａｌ-Ａ）フィールド、ＶＨＴ-ＳＴＦ（ＶＨＴ  Ｓｈｏｒｔ  Ｔｒａｉｎｉｎｇ  ｆｉｅｌｄ）、ＶＨＴ-ＬＴＦ（ＶＨＴ  Ｌｏｎｇ  Ｔｒａｉｎｉｎｇ  ｆｉｅｌｄ）、ＶＨＴ-ＳＩＧ-Ｂ（ＶＨＴ-Ｓｉｇｎａｌ-Ｂ）フィールドから構成されるＶＨＴフォーマットプリアンブル及びデータフィールドを含んで構成される。
【０１０２】
Ｌ-ＳＴＦ、Ｌ-ＬＴＦ及びＬ-ＳＩＧは、下位互換性（ｂａｃｋｗａｒｄ  ｃｏｍｐａｔｉｂｉｌｉｔｙ）のためのレガシーフィールドを意味するので、Ｌ-ＳＴＦからＬ-ＳＩＧフィールドまでｎｏｎ-ＨＴフォーマットと同一である。ただし、Ｌ-ＬＴＦは、Ｌ-ＳＩＧフィールド及びＶＨＴ-ＳＩＧ-Ａフィールドを復調するために行うチャネル推定のための情報をさらに含むことができる。
【０１０３】
Ｌ-ＳＴＦ、Ｌ-ＬＴＦ、Ｌ-ＳＩＧフィールド及びＶＨＴ-ＳＩＧ-Ａフィールドは、２０ＭＨｚチャネル単位に繰り返されて送信されることができる。例えば、ＰＰＤＵが４個の２０ＭＨｚチャネル（すなわち、８０ＭＨｚ帯域幅）を介して送信されるとき、Ｌ-ＳＴＦ、Ｌ-ＬＴＦ、Ｌ-ＳＩＧフィールド及びＶＨＴ-ＳＩＧ-Ａフィールドは、毎２０ＭＨｚチャネルで繰り返されて送信されることができる。
【０１０４】
ＶＨＴ-ＳＴＡは、レガシーフィールドの後にくるＶＨＴ-ＳＩＧ-Ａフィールドを用いて、ＶＨＴフォーマットＰＰＤＵであることが分かり、これに基づいてデータフィールドをデコードできる。
【０１０５】
ＶＨＴフォーマットＰＰＤＵは、Ｌ-ＳＴＡも受信してデータを取得できるようにするために、Ｌ-ＳＴＦ、Ｌ-ＬＴＦ及びＬ-ＳＩＧフィールドが最も速く送信される。以後、ＶＨＴ-ＳＴＡのために送信されるデータの復調及びデコードのために、ＶＨＴ-ＳＩＧ-Ａフィールドが送信される。
【０１０６】
ＶＨＴ-ＳＩＧ-Ａフィールドは、ＡＰとＭＩＭＯペアリングされた（ｐａｉｒｅｄ）ＶＨＴ ＳＴＡに共通する制御情報送信のためのフィールドであって、これは、受信されたＶＨＴフォーマットＰＰＤＵを解析するための制御情報を含んでいる。
【０１０７】
ＶＨＴ-ＳＩＧ-Ａフィールドは、ＶＨＴ-ＳＩＧ-Ａ１フィールドとＶＨＴ-ＳＩＧ-Ａ２フィールドを含むことができる。
【０１０８】
ＶＨＴ-ＳＩＧ-Ａ１フィールドは、使用するチャネル帯域幅（ＢＷ：ｂａｎｄｗｉｄｔｈ）情報、時空間ブロックコーディング（ＳＴＢＣ：Ｓｐａｃｅ  Ｔｉｍｅ  Ｂｌｏｃｋ  Ｃｏｄｉｎｇ）の適用有無、ＭＵ-ＭＩＭＯでグループ化されたＳＴＡのグループを指示するためのグループ識別情報（Ｇｒｏｕｐ  ＩＤ：Ｇｒｏｕｐ  Ｉｄｅｎｔｉｆｉｅｒ）、使用されるストリームの数（ＮＳＴＳ：Ｎｕｍｂｅｒ  ｏｆ  ｓｐａｃｅ-ｔｉｍｅ  ｓｔｒｅａｍ）／部分ＡＩＤ（Ｐａｒｔｉａｌ  ＡＩＤ（ａｓｓｏｃｉａｔｉｏｎ  Ｉｄｅｎｔｉｆｉｅｒ））に関する情報及び送信パワーセーブ禁止（Ｔｒａｎｓｍｉｔ  ｐｏｗｅｒ  ｓａｖｅ  ｆｏｒｂｉｄｄｅｎ）情報を含むことができる。ここで、Ｇｒｏｕｐ  ＩＤは、ＭＵ-ＭＩＭＯ送信を支援するために送信対象ＳＴＡグループに対して割り当てられる識別子を意味し、現在使用されたＭＩＭＯ送信方法がＭＵ-ＭＩＭＯであるか、またはＳＵ-ＭＩＭＯであるかを表すことができる。
【０１０９】
ＶＨＴ-ＳＩＧ-Ａ２フィールドは、短い保護区間（ＧＩ：Ｇｕａｒｄ  Ｉｎｔｅｒｖａｌ）の使用有無に関する情報、フォワードエラー訂正（ＦＥＣ：Ｆｏｒｗａｒｄ  Ｅｒｒｏｒ  Ｃｏｒｒｅｃｔｉｏｎ）情報、単一ユーザに対するＭＣＳ（Ｍｏｄｕｌａｔｉｏｎ  ａｎｄ  Ｃｏｄｉｎｇ  Ｓｃｈｅｍｅ）に関する情報、複数ユーザに対するチャネルコーディングの種類に関する情報、ビーム形成関連情報、ＣＲＣ（Ｃｙｃｌｉｃ  Ｒｅｄｕｎｄａｎｃｙ  Ｃｈｅｃｋｉｎｇ）のための冗長ビット（ｒｅｄｕｎｄａｎｃｙ  ｂｉｔｓ）と畳み込みデコーダ（ｃｏｎｖｏｌｕｔｉｏｎａｌ  ｄｅｃｏｄｅｒ）のテールビット（ｔａｉｌ  ｂｉｔ）などを含むことができる。
【０１１０】
ＶＨＴ-ＳＴＦは、ＭＩＭＯ送信においてＡＧＣ推定の性能を改善するために使用される。
【０１１１】
ＶＨＴ-ＬＴＦは、ＶＨＴ-ＳＴＡがＭＩＭＯチャネルを推定するのに使用される。ＶＨＴ  ＷＬＡＮシステムは、ＭＵ-ＭＩＭＯを支援するから、ＶＨＴ-ＬＴＦは、ＰＰＤＵが送信される空間ストリームの数だけ設定されることができる。追加的に、フルチャネルサウンディング（ｆｕｌｌ  ｃｈａｎｎｅｌ  ｓｏｕｎｄｉｎｇ）が支援される場合、ＶＨＴ-ＬＴＦの数は、より多くなることができる。
【０１１２】
ＶＨＴ-ＳＩＧ-Ｂフィールドは、ＭＵ-ＭＩＭＯペアリングされた複数のＶＨＴ-ＳＴＡがＰＰＤＵを受信してデータを取得するのに必要な専用制御情報を含む。したがって、ＶＨＴ-ＳＩＧ-Ａフィールドに含まれた共用制御情報が現在受信されたＰＰＤＵがＭＵ-ＭＩＭＯ送信を指示した場合においてのみ、ＶＨＴ-ＳＴＡは、ＶＨＴ-ＳＩＧ-Ｂフィールドをデコード（ｄｅｃｏｄｉｎｇ）するよう設計されることができる。これに対し、共用制御情報が現在受信されたＰＰＤＵが単一ＶＨＴ-ＳＴＡのためのもの（ＳＵ-ＭＩＭＯを含む）であることを指示した場合、ＳＴＡは、ＶＨＴ-ＳＩＧ-Ｂフィールドをデコードしないように設計されることができる。
【０１１３】
ＶＨＴ-ＳＩＧ-Ｂフィールドは、ＶＨＴ−ＳＩＧ−Ｂ長さ（Ｌｅｎｇｔｈ）フィールド、ＶＨＴ−ＭＣＳフィールド、予備（Ｒｅｓｅｒｖｅｄ）フィールド、テール（Ｔａｉｌ）フィールドを含む。
【０１１４】
ＶＨＴ−ＳＩＧ−Ｂ長さ（Ｌｅｎｇｔｈ）フィールドは、Ａ−ＭＰＤＵの長さ（ＥＯＦ（ｅｎｄ−ｏｆ−ｆｒａｍｅ）パティング以前）を指示する。ＶＨＴ−ＭＣＳフィールドは、各ＶＨＴ-ＳＴＡの変調（ｍｏｄｕｌａｔｉｏｎ）、エンコード（ｅｎｃｏｄｉｎｇ）及びレートマッチング（ｒａｔｅ-ｍａｔｃｈｉｎｇ）に関する情報を含む。
【０１１５】
ＶＨＴ-ＳＩＧ-Ｂフィールドのサイズは、ＭＩＭＯ送信の類型（ＭＵ-ＭＩＭＯまたはＳＵ-ＭＩＭＯ）及びＰＰＤＵ送信のために使用するチャネル帯域幅に応じて異なりうる。
【０１１６】
図４（ｂ）は、ＰＰＤＵ送信帯域幅によるＶＨＴ−ＳＩＧ−Ｂフィールドを例示する。
【０１１７】
図４（ｂ）に示すように、４０ＭＨｚ送信において、ＶＨＴ−ＳＩＧ−Ｂビットは２回繰り返される。８０ＭＨｚ送信において、ＶＨＴ−ＳＩＧ−Ｂビットは４回繰り返され、０にセットされたパッドビットが付着される。
【０１１８】
２００ＭＨｚ送信及び８０＋８０ＭＨｚにおいて、まず、８０ＭＨｚ送信のようにＶＨＴ−ＳＩＧ−Ｂビットは４回繰り返され、０にセットされたパッドビットが付着される。そして、全体１１７ビットがさらに繰り返される。
【０１１９】
ＭＵ-ＭＩＭＯを支援するシステムにおいて同じサイズのＰＰＤＵをＡＰにペアリングされたＳＴＡに送信するために、ＰＰＤＵを構成するデータフィールドのビットサイズを指示する情報及び／又は特定フィールドを構成するビットストリームサイズを指示する情報がＶＨＴ-ＳＩＧ-Ａフィールドに含まれることができる。
【０１２０】
ただし、効果的にＰＰＤＵフォーマットを使用するために、Ｌ-ＳＩＧフィールドが使用されることもできる。同じサイズのＰＰＤＵがすべてのＳＴＡに送信されるために、Ｌ-ＳＩＧフィールド内に含まれて送信される長さフィールド（ｌｅｎｇｔｈ  ｆｉｅｌｄ）及びレートフィールド（ｒａｔｅ  ｆｉｅｌｄ）が必要な情報を提供するために使用されることができる。この場合、ＭＰＤＵ（ＭＡＣ  Ｐｒｏｔｏｃｏｌ  Ｄａｔａ  Ｕｎｉｔ）及び／又はＡ-ＭＰＤＵ（Ａｇｇｒｅｇａｔｅ  ＭＡＣ  Ｐｒｏｔｏｃｏｌ  Ｄａｔａ  Ｕｎｉｔ）がＭＡＣ階層のバイト（またはオクテット（ｏｃｔ：ｏｃｔｅｔ））に基づいて設定されるので、物理階層で追加的なパディング（ｐａｄｄｉｎｇ）が要求されることができる。
【０１２１】
図４においてデータフィールドは、ペイロード（ｐａｙｌｏａｄ）として、サービスフィールド（ＳＥＲＶＩＣＥ  ｆｉｅｌｄ）、スクランブルされたＰＳＤＵ（ｓｃｒａｍｂｌｅｄ  ＰＳＤＵ）、テールビット（ｔａｉｌ  ｂｉｔｓ）、パディングビット（ｐａｄｄｉｎｇ  ｂｉｔｓ）を含むことができる。
【０１２２】
上述のように、様々なＰＰＤＵのフォーマットが混合して使用されるから、ＳＴＡは、受信したＰＰＤＵのフォーマットを区分できなければならない。
【０１２３】
ここで、ＰＰＤＵを区分するという意味（またはＰＰＤＵフォーマットを区分するという意味）は、多様な意味を有することができる。例えば、ＰＰＤＵを区分するという意味は、受信したＰＰＤＵがＳＴＡによりデコード（または解析）が可能なＰＰＤＵであるかどうかに対して判断するという意味を含むことができる。また、ＰＰＤＵを区分するという意味は、受信したＰＰＤＵがＳＴＡにより支援可能なＰＰＤＵであるかどうかに対して判断するという意味でありうる。また、ＰＰＤＵを区分するという意味は、受信したＰＰＤＵを介して送信された情報がいかなる情報であるかを区分するという意味としても解析できる。
【０１２４】
これについて、以下の図面を参照してさらに詳細に説明する。
【０１２５】
図５は、本発明が適用されることができる無線通信システムのＰＰＤＵのフォーマットを区分するための星状点（ｃｏｎｓｔｅｌｌａｔｉｏｎ）を例示する図である。
【０１２６】
図５（ａ）は、ｎｏｎ-ＨＴフォーマットＰＰＤＵに含まれるＬ-ＳＩＧフィールドの星状点（ｃｏｎｓｔｅｌｌａｔｉｏｎ）を例示し、図５（ｂ）は、ＨＴ混合フォーマットＰＰＤＵ検出のための位相回転（ｐｈａｓｅ  ｒｏｔａｔｉｏｎ）を例示し、図５（ｃ）は、ＶＨＴフォーマットＰＰＤＵ検出のための位相回転（ｐｈａｓｅ  ｒｏｔａｔｉｏｎ）を例示する。
【０１２７】
ＳＴＡがｎｏｎ-ＨＴフォーマットＰＰＤＵ、ＨＴ-ＧＦフォーマットＰＰＤＵ、ＨＴ混合フォーマットＰＰＤＵ及びＶＨＴフォーマットＰＰＤＵを区分（ｃｌａｓｓｉｆｉｃａｔｉｏｎ）するために、Ｌ-ＳＩＧフィールド及びＬ-ＳＩＧフィールド以後に送信されるＯＦＤＭシンボルの星状（ｃｏｎｓｔｅｌｌａｔｉｏｎ）の位相（ｐｈａｓｅ）が使用される。すなわち、ＳＴＡは、受信したＰＰＤＵのＬ-ＳＩＧフィールド及び／又はＬ-ＳＩＧフィールド以後に送信されるＯＦＤＭシンボルの星状の位相に基づいてＰＰＤＵフォーマットを区分できる。
【０１２８】
図５（ａ）を参照すると、Ｌ-ＳＩＧフィールドを構成するＯＦＤＭシンボルは、ＢＰＳＫ（Ｂｉｎａｒｙ  Ｐｈａｓｅ  Ｓｈｉｆｔ  Ｋｅｙｉｎｇ）が利用される。
【０１２９】
まず、ＨＴ-ＧＦフォーマットＰＰＤＵを区分するために、ＳＴＡは、受信したＰＰＤＵで最初のＳＩＧフィールドが感知されると、Ｌ-ＳＩＧフィールド認知であるかどうかを判断する。すなわち、ＳＴＡは、図５（ａ）の例示のような星状を基盤としてデコードを試みる。ＳＴＡがデコードに失敗すると、該当ＰＰＤＵがＨＴ-ＧＦフォーマットＰＰＤＵであると判断できる。
【０１３０】
次に、ｎｏｎ-ＨＴフォーマットＰＰＤＵ、ＨＴ混合フォーマットＰＰＤＵ及びＶＨＴフォーマットＰＰＤＵを区分（ｃｌａｓｓｉｆｉｃａｔｉｏｎ）するために、Ｌ-ＳＩＧフィールド以後に送信されるＯＦＤＭシンボルの星状の位相が使用されることができる。すなわち、Ｌ-ＳＩＧフィールド以後に送信されるＯＦＤＭシンボルの変調方法が互いに異なることができ、ＳＴＡは、受信したＰＰＤＵのＬ-ＳＩＧフィールド以後のフィールドに対する変調方法に基づいてＰＰＤＵフォーマットを区分できる。
【０１３１】
図５（ｂ）を参照すると、ＨＴ混合フォーマットＰＰＤＵを仕分けするために、ＨＴ混合フォーマットＰＰＤＵでＬ-ＳＩＧフィールド以後に送信される２個のＯＦＤＭシンボルの位相が使用されることができる。
【０１３２】
さらに具体的に、ＨＴ混合フォーマットＰＰＤＵでＬ-ＳＩＧフィールド以後に送信されるＨＴ-ＳＩＧフィールドに対応するＯＦＤＭシンボル＃１及びＯＦＤＭシンボル＃２の位相は、全部半時計方向に９０度だけ回転される。すなわち、ＯＦＤＭシンボル＃１及びＯＦＤＭシンボル＃２に対する変調方法は、ＱＢＰＳＫ（Ｑｕａｄｒａｔｕｒｅ  Ｂｉｎａｒｙ  Ｐｈａｓｅ  Ｓｈｉｆｔ  Ｋｅｙｉｎｇ）が利用される。ＱＢＰＳＫ星状は、ＢＰＳＫ星状に基づいて半時計方向に９０度だけ位相が回転した星状でありうる。
【０１３３】
ＳＴＡは、受信したＰＰＤＵのＬ-ＳＩＧフィールドの次に送信されるＨＴ-ＳＩＧフィールドに対応する第１ＯＦＤＭシンボル及び第２ＯＦＤＭシンボルを図５（ｂ）の例示のような星状に基づいてデコードを試みる。ＳＴＡがデコードに成功すると、該当ＰＰＤＵがＨＴフォーマットＰＰＤＵであると判断する。
【０１３４】
次に、ｎｏｎ-ＨＴフォーマットＰＰＤＵ及びＶＨＴフォーマットＰＰＤＵを区分するために、Ｌ-ＳＩＧフィールド以後に送信されるＯＦＤＭシンボルの星状の位相が使用されることができる。
【０１３５】
図５（ｃ）を参照すると、ＶＨＴフォーマットＰＰＤＵを区分（ｃｌａｓｓｉｆｉｃａｔｉｏｎ）するために、ＶＨＴフォーマットＰＰＤＵでＬ-ＳＩＧフィールド以後に送信される２個のＯＦＤＭシンボルの位相が使用されることができる。
【０１３６】
さらに具体的に、ＶＨＴフォーマットＰＰＤＵでＬ-ＳＩＧフィールド以後のＶＨＴ-ＳＩＧ-Ａフィールドに対応するＯＦＤＭシンボル＃１の位相は回転されないが、ＯＦＤＭシンボル＃２の位相は、半時計方向に９０度だけ回転される。すなわち、ＯＦＤＭシンボル＃１に対する変調方法は、ＢＰＳＫが利用され、ＯＦＤＭシンボル＃２に対する変調方法は、ＱＢＰＳＫが利用される。
【０１３７】
ＳＴＡは受信したＰＰＤＵのＬ-ＳＩＧフィールドの次に送信されるＶＨＴ-ＳＩＧフィールドに対応する第１ＯＦＤＭシンボル及び第２ＯＦＤＭシンボルを図５（ｃ）の例示のような星状に基づいてデコードを試みる。ＳＴＡがデコードに成功すると、該当ＰＰＤＵがＶＨＴフォーマットＰＰＤＵであると判断できる。
【０１３８】
反面、デコードに失敗すると、ＳＴＡは、該当ＰＰＤＵがｎｏｎ-ＨＴフォーマットＰＰＤＵであると判断できる。
【０１３９】
ＭＡＣフレームフォーマット
図６は、本発明が適用されることができるＩＥＥＥ  ８０２．１１システムのＭＡＣフレームフォーマットを例示する。
【０１４０】
図６を参照すると、ＭＡＣフレーム（すなわち、ＭＰＤＵ）は、ＭＡＣヘッダ（ＭＡＣ  Ｈｅａｄｅｒ）、フレーム本体（Ｆｒａｍｅ  Ｂｏｄｙ）及びフレームチェックシーケンス（ＦＣＳ：ｆｒａｍｅ  ｃｈｅｃｋ  ｓｅｑｕｅｎｃｅ）から構成される。
【０１４１】
ＭＡＣ  Ｈｅａｄｅｒは、フレーム制御（Ｆｒａｍｅ  Ｃｏｎｔｒｏｌ）フィールド、持続時間／識別子（Ｄｕｒａｔｉｏｎ／ＩＤ）フィールド、アドレス１（Ａｄｄｒｅｓｓ１）フィールド、アドレス２（Ａｄｄｒｅｓｓ２）フィールド、アドレス３（Ａｄｄｒｅｓｓ３）フィールド、シーケンス制御（Ｓｅｑｕｅｎｃｅ  Ｃｏｎｔｒｏｌ）フィールド、アドレス４（Ａｄｄｒｅｓｓ４）フィールド、ＱｏＳ制御（ＱｏＳ  Ｃｏｎｔｒｏｌ）フィールド及びＨＴ制御（ＨＴ  Ｃｏｎｔｒｏｌ）フィールドを含む領域と定義される。
【０１４２】
Ｆｒａｍｅ  Ｃｏｎｔｒｏｌフィールドは、該当ＭＡＣフレーム特性に関する情報を含む。 Ｆｒａｍｅ  Ｃｏｎｔｒｏｌフィールドに対するさらに詳細な説明は後述する。
【０１４３】
Ｄｕｒａｔｉｏｎ／ＩＤフィールドは、該当ＭＡＣフレームのタイプ及びサブタイプに応じる他の値を有するように具現化されることができる。
【０１４４】
仮に、該当ＭＡＣフレームのタイプ及びサブタイプがパワーセーブ（ＰＳ：ｐｏｗｅｒ  ｓａｖｅ）運営のためのＰＳ-ポール（ＰＳ-Ｐｏｌｌ）フレームの場合、Ｄｕｒａｔｉｏｎ／ＩＤフィールドは、フレームを送信したＳＴＡのＡＩＤ（ａｓｓｏｃｉａｔｉｏｎ  ｉｄｅｎｔｉｆｉｅｒ）を含むように設定されることができる。その以外の場合、Ｄｕｒａｔｉｏｎ／ＩＤフィールドは、該当ＭＡＣフレームのタイプ及びサブタイプに応じて特定持続時間値を有するように設定されることができる。また、フレームがＡ-ＭＰＤＵ（ａｇｇｒｅｇａｔｅ-ＭＰＤＵ）フォーマットに含まれたＭＰＤＵである場合、ＭＡＣヘッダに含まれたＤｕｒａｔｉｏｎ／ＩＤフィールドは、全部同じ値を有するように設定されることもできる。
【０１４５】
Ａｄｄｒｅｓｓ１フィールドないしＡｄｄｒｅｓｓ４フィールドは、ＢＳＳＩＤ、ソースアドレス（ＳＡ：ｓｏｕｒｃｅ  ａｄｄｒｅｓｓ）、目的アドレス（ＤＡ：ｄｅｓｔｉｎａｔｉｏｎ  ａｄｄｒｅｓｓ）、送信ＳＴＡアドレスを表す送信アドレス（ＴＡ：Ｔｒａｎｓｍｉｔｔｉｎｇ  Ａｄｄｒｅｓｓ）、受信ＳＴＡアドレスを表す受信アドレス（ＲＡ：Ｒｅｃｅｉｖｉｎｇ  Ａｄｄｒｅｓｓ）を指示するために使用される。
【０１４６】
一方、ＴＡフィールドにより具現化されたアドレスフィールドは、帯域幅シグナリングＴＡ（ｂａｎｄｗｉｄｔｈ  ｓｉｇｎａｌｉｎｇ  ＴＡ）値に設定されることができ、この場合、ＴＡフィールドは、該当ＭＡＣフレームがスクランブリングシーケンスに追加的な情報を含んでいることを指示できる。帯域幅シグナリングＴＡは、該当ＭＡＣフレームを送信するＳＴＡのＭＡＣアドレスと表現されることができるが、ＭＡＣアドレスに含まれた個別／グループビット（Ｉｎｄｉｖｉｄｕａｌ／Ｇｒｏｕｐ  ｂｉｔ）が特定値（例えば、「１」）に設定されることができる。
【０１４７】
Ｓｅｑｕｅｎｃｅ  Ｃｏｎｔｒｏｌフィールドは、シーケンスナンバー（ｓｅｑｕｅｎｃｅ  ｎｕｍｂｅｒ）及びフラグメントナンバー（ｆｒａｇｍｅｎｔ  ｎｕｍｂｅｒ）を含むように設定される。シーケンスナンバーを該当ＭＡＣフレームに割り当てられたシーケンスナンバーを指示できる。フラグメントナンバーは、該当ＭＡＣフレームの各フラグメントのナンバーを指示できる。
【０１４８】
ＱｏＳ  Ｃｏｎｔｒｏｌフィールドは、ＱｏＳと関連した情報を含む。ＱｏＳ  Ｃｏｎｔｒｏｌフィールドは、サブタイプ（Ｓｕｂｔｙｐｅ）のサブフィールドにおいてＱｏＳデータフレームを指示する場合に含まれることができる。
【０１４９】
ＨＴ  Ｃｏｎｔｒｏｌフィールドは、ＨＴ及び／又はＶＨＴ送受信技法と関連した制御情報を含む。ＨＴ  Ｃｏｎｔｒｏｌフィールドは、制御ラッパー（Ｃｏｎｔｒｏｌ  Ｗｒａｐｐｅｒ）フレームに含まれる。また、オーダー（Ｏｒｄｅｒ）サブフィールド値が１であるＱｏＳデータ（ＱｏＳ  Ｄａｔａ）フレーム、管理（Ｍａｎａｇｅｍｅｎｔ）フレームに存在する。
【０１５０】
Ｆｒａｍｅ  Ｂｏｄｙは、ＭＡＣペイロード（ｐａｙｌｏａｄ）と定義され、上位階層で送信しようとするデータが位置するようになり、可変的なサイズを有する。例えば、最大ＭＰＤＵのサイズは、１１４５４オクテット（ｏｃｔｅｔｓ）で、最大ＰＰＤＵのサイズは、５．４８４ｍｓでありうる。
【０１５１】
ＦＣＳは、ＭＡＣフッター（ｆｏｏｔｅｒ）と定義され、ＭＡＣフレームのエラー探索のために使用される。
【０１５２】
最初の三つのフィールド（Ｆｒａｍｅ  Ｃｏｎｔｒｏｌフィールド、Ｄｕｒａｔｉｏｎ／ＩＤフィールド及びＡｄｄｒｅｓｓ１フィールド）と最も最後のフィールド（ＦＣＳフィールド）は、最小フレームフォーマットを構成し、すべてのフレームに存在する。その他のフィールドは、特定フレームタイプにおいてのみ存在できる。
【０１５３】
図７は、本発明が適用されることができる無線通信システムにおけるＭＡＣフレーム内のフレーム制御（Ｆｒａｍｅ  Ｃｏｎｔｒｏｌ）フィールドを例示する図である。
【０１５４】
図７を参照すると、Ｆｒａｍｅ  Ｃｏｎｔｒｏｌフィールドは、プロトコルバージョン（Ｐｒｏｔｏｃｏｌ  Ｖｅｒｓｉｏｎ）サブフィールド、タイプ（Ｔｙｐｅ）サブフィールド、サブタイプ（Ｓｕｂｔｙｐｅ）サブフィールド、Ｔｏ  ＤＳサブフィールド、Ｆｒｏｍ  ＤＳサブフィールド、追加フラグメント（Ｍｏｒｅ  Ｆｒａｇｍｅｎｔｓ）サブフィールド、再試図（Ｒｅｔｒｙ）サブフィールド、パワー管理（Ｐｏｗｅｒ  Ｍａｎａｇｅｍｅｎｔ）サブフィールド、追加データ（Ｍｏｒｅ  Ｄａｔａ）サブフィールド、保護されたフレーム（Ｐｒｏｔｅｃｔｅｄ  Ｆｒａｍｅ）サブフィールド及びオーダー（Ｏｒｄｅｒ）サブフィールドから構成される。
【０１５５】
Ｐｒｏｔｏｃｏｌ  Ｖｅｒｓｉｏｎサブフィールドは、該当ＭＡＣフレームに適用されたＷＬＡＮプロトコルのバージョンを指示できる。
【０１５６】
Ｔｙｐｅサブフィールド及びＳｕｂｔｙｐｅサブフィールドは、該当ＭＡＣフレームの機能を識別する情報を指示するように設定されることができる。
【０１５７】
ＭＡＣフレームのタイプは、管理フレーム（Ｍａｎａｇｅｍｅｎｔ  Ｆｒａｍｅ）、制御フレーム（Ｃｏｎｔｒｏｌ  Ｆｒａｍｅ）、データフレーム（Ｄａｔａ  Ｆｒａｍｅ）の三介してのフレームタイプを含むことができる。
【０１５８】
そして、各フレームタイプは、またサブタイプに区分されることができる。
【０１５９】
例えば、制御フレーム（Ｃｏｎｔｒｏｌｆｒａｍｅｓ）は、ＲＴＳ（ｒｅｑｕｅｓｔ  ｔｏ  ｓｅｎｄ）フレーム、ＣＴＳ（ｃｌｅａｒ-ｔｏ-ｓｅｎｄ）フレーム、ＡＣＫ（Ａｃｋｎｏｗｌｅｄｇｍｅｎｔ）フレーム、ＰＳ-Ｐｏｌｌフレーム、ＣＦ（ｃｏｎｔｅｎｔｉｏｎ  ｆｒｅｅ）-Ｅｎｄフレーム、ＣＦ-Ｅｎｄ＋ＣＦ-ＡＣＫフレーム、ブロックＡＣＫ要請（ＢＡＲ：Ｂｌｏｃｋ  Ａｃｋｎｏｗｌｅｄｇｍｅｎｔ  ｒｅｑｕｅｓｔ）フレーム、ブロックＡＣＫ（ＢＡ：Ｂｌｏｃｋ  Ａｃｋｎｏｗｌｅｄｇｍｅｎｔ）フレーム、制御ラッパー（Ｃｏｎｔｒｏｌ  Ｗｒａｐｐｅｒ（Ｃｏｎｔｒｏｌ＋ＨＴ  Ｃｏｎｔｒｏｌ））フレーム、ＶＨＴナルデータパケット公知（ＮＤＰＡ：Ｎｕｌｌ  Ｄａｔａ  Ｐａｃｋｅｔ  Ａｎｎｏｕｎｃｅｍｅｎｔ）、ビーム形成報告ポール（Ｂｅａｍｆｏｒｍｉｎｇ  Ｒｅｐｏｒｔ  Ｐｏｌｌ）フレームを含むことができる。
【０１６０】
管理フレーム（Ｍａｎａｇｅｍｅｎｔ  ｆｒａｍｅｓ）は、ビーコン（Ｂｅａｃｏｎ）フレーム、ＡＴＩＭ（Ａｎｎｏｕｎｃｅｍｅｎｔ  Ｔｒａｆｆｉｃ  Ｉｎｄｉｃａｔｉｏｎ  Ｍｅｓｓａｇｅ）フレーム、連係解除（Ｄｉｓａｓｓｏｃｉａｔｉｏｎ）フレーム、連係要請／応答（Ａｓｓｏｃｉａｔｉｏｎ  Ｒｅｑｕｅｓｔ／Ｒｅｓｐｏｎｓｅ）フレーム、再連係要請／応答（Ｒｅａｓｓｏｃｉａｔｉｏｎ  Ｒｅｑｕｅｓｔ／Ｒｅｓｐｏｎｓｅ）フレーム、プローブ要請／応答（Ｐｒｏｂｅ  Ｒｅｑｕｅｓｔ／Ｒｅｓｐｏｎｓｅ）フレーム、認証（Ａｕｔｈｅｎｔｉｃａｔｉｏｎ）フレーム、認証解除（Ｄｅａｕｔｈｅｎｔｉｃａｔｉｏｎ）フレーム、動作（Ａｃｔｉｏｎ）フレーム、動作無応答（Ａｃｔｉｏｎ  Ｎｏ  ＡＣＫ）フレーム、タイミング広告（Ｔｉｍｉｎｇ  Ａｄｖｅｒｔｉｓｅｍｅｎｔ）フレームを含むことができる。
【０１６１】
Ｔｏ  ＤＳサブフィールド及びＦｒｏｍ  ＤＳサブフィールドは、該当ＭＡＣフレームヘッダに含まれたＡｄｄｒｅｓｓ  １フィールドないしＡｄｄｒｅｓｓ  ４フィールドを解釈するために必要な情報を含むことができる。Ｃｏｎｔｒｏｌフレームの場合、Ｔｏ  ＤＳサブフィールド及びＦｒｏｍ  ＤＳサブフィールドは、全部「０」に設定される。Ｍａｎａｇｅｍｅｎｔフレームの場合、Ｔｏ  ＤＳサブフィールド及びＦｒｏｍ  ＤＳサブフィールドは、該当フレームがＱｏＳ管理フレーム（ＱＭＦ：ＱｏＳ  Ｍａｎａｇｅｍｅｎｔ  ｆｒａｍｅ）であると、順に「１」、「０」に設定され、該当フレームがＱＭＦではないと、順に全部「０」、「０」に設定されることができる。
【０１６２】
Ｍｏｒｅ  Ｆｒａｇｍｅｎｔｓサブフィールドは、該当ＭＡＣフレームに続いて送信されるフラグメント（ｆｒａｇｍｅｎｔ）が存在しているかどうかを指示できる。現在ＭＳＤＵまたはＭＭＰＤＵのさらに他のフラグメントが存在する場合、「１」に設定され、そうでない場合、「０」に設定されることができる。
【０１６３】
Ｒｅｔｒｙサブフィールドは、該当ＭＡＣフレームが以前ＭＡＣフレームの再送信によるものであるかどうかを指示できる。以前ＭＡＣフレームの再送信である場合、「１」に設定され、そうでない場合、「０」に設定されることができる。
【０１６４】
Ｐｏｗｅｒ  Ｍａｎａｇｅｍｅｎｔサブフィールドは、ＳＴＡのパワー管理モードを指示できる。Ｐｏｗｅｒ  Ｍａｎａｇｅｍｅｎｔサブフィールド値が「１」であると、ＳＴＡがパワーセーブモードに転換するのを指示できる。
【０１６５】
Ｍｏｒｅ  Ｄａｔａサブフィールドは、追加的に送信されるＭＡＣフレームが存在しているかどうかを指示できる。追加的に送信されるＭＡＣフレームが存在する場合、「１」に設定され、そうでない場合、「０」に設定されることができる。
【０１６６】
Ｐｒｏｔｅｃｔｅｄ  Ｆｒａｍｅサブフィールドは、フレームボディー（Ｆｒａｍｅ  Ｂｏｄｙ）フィールドが暗号化されたかどうかを指示できる。Ｆｒａｍｅ  Ｂｏｄｙフィールドが暗号化されたエンカプセレーションアルゴリズム（ｃｒｙｐｔｏｇｒａｐｈｉｃ  ｅｎｃａｐｓｕｌａｔｉｏｎ  ａｌｇｏｒｉｔｈｍ）により処理された情報を含む場合、「１」に設定され、そうでない場合、「０」に設定されることができる。
【０１６７】
上述の各フィールドに含まれる情報は、ＩＥＥＥ  ８０２．１１システムの定義に従うことができる。また、上述の各フィールドは、ＭＡＣフレームに含まれることができるフィールドの例示に該当し、これに限定されない。すなわち、上述の各フィールドが他のフィールドに代替されるか、または追加的なフィールドがさらに含まれることができ、すべてのフィールドが必須的に含まれなくても良い。
【０１６８】
図８は、本発明が適用されることができる無線通信システムにおけるＨＴ  ＣｏｎｔｒｏｌフィールドのＨＴフォーマットを例示する。
【０１６９】
図８を参照すると、ＨＴ  Ｃｏｎｔｒｏｌフィールドは、ＶＨＴサブフィールド、ＨＴ制御ミドル（ＨＴ  Ｃｏｎｔｒｏｌ  Ｍｉｄｄｌｅ）サブフィールド、ＡＣ制限（ＡＣ  Ｃｏｎｓｔｒａｉｎｔ）サブフィールド及び逆方向承認（ＲＤＧ：Ｒｅｖｅｒｓｅ  Ｄｉｒｅｃｔｉｏｎ  Ｇｒａｎｔ）／追加ＰＰＤＵ（Ｍｏｒｅ  ＰＰＤＵ）サブフィールドから構成されることができる。
【０１７０】
ＶＨＴサブフィールドは、ＨＴ  ＣｏｎｔｒｏｌフィールドがＶＨＴのためのＨＴ  Ｃｏｎｔｒｏｌフィールドのフォーマットを有するかどうか（ＶＨＴ＝１）またはＨＴのためのＨＴ  Ｃｏｎｔｒｏｌフィールドのフォーマットを有するかどうか（ＶＨＴ＝０）を指示する。図８では、ＶＨＴのためのＨＴ  Ｃｏｎｔｒｏｌフィールド（すなわち、ＶＨＴ＝１）を仮定して説明する。 ＶＨＴのためのＨＴ  ＣｏｎｔｒｏｌフィールドをＶＨＴ  Ｃｏｎｔｒｏｌフィールドと呼ぶことができる。
【０１７１】
ＨＴ  Ｃｏｎｔｒｏｌ  Ｍｉｄｄｌｅサブフィールドは、ＶＨＴサブフィールドの指示に従って他のフォーマットを有するように具現されることができる。ＨＴ  Ｃｏｎｔｒｏｌ  Ｍｉｄｄｌｅサブフィールドについてのさらに詳細な説明は後述する。
【０１７２】
ＡＣ  Ｃｏｎｓｔｒａｉｎｔサブフィールドは、逆方向（ＲＤ：ｒｅｖｅｒｓｅ  ｄｉｒｅｃｔｉｏｎ）データフレームのマップされたＡＣ（Ａｃｃｅｓｓ  Ｃａｔｅｇｏｒｙ）が単一ＡＣに限定されたことであるかどうかを指示する。
【０１７３】
ＲＤＧ／Ｍｏｒｅ  ＰＰＤＵサブフィールドは、該当フィールドがＲＤイニシエーター（ｉｎｉｔｉａｔｏｒ）またはＲＤ応答者（ｒｅｓｐｏｎｄｅｒ）によって送信されるかどうかによって異なるように解析されることができる。
【０１７４】
ＲＤイニシエーターによって送信された場合、ＲＤＧが存在する場合、ＲＤＧ／Ｍｏｒｅ  ＰＰＤＵフィールドが「１」に設定され、ＲＤＧが存在しない場合、「０」に設定される。ＲＤ応答者によって送信された場合、該当サブフィールドを含むＰＰＤＵがＲＤ応答者により送信された最後のフレームであると、「１」に設定され、さらに他のＰＰＤＵが送信されると、「０」に設定される。
【０１７５】
上述のように、ＨＴ  Ｃｏｎｔｒｏｌ  Ｍｉｄｄｌｅサブフィールドは、ＶＨＴサブフィールドの指示に従って、他のフォーマットを有するように具現されることができる。
【０１７６】
ＶＨＴのためのＨＴ  ＣｏｎｔｒｏｌフィールドのＨＴ  Ｃｏｎｔｒｏｌ  Ｍｉｄｄｌｅサブフィールドは、予備ビット（Ｒｅｓｅｒｖｅｄ  ｂｉｔ）、ＭＣＳフィードバック要請（ＭＲＱ：ＭＣＳ（Ｍｏｄｕｌａｔｉｏｎ  ａｎｄ  Ｃｏｄｉｎｇ  Ｓｃｈｅｍｅ）ｆｅｅｄｂａｃｋ  ｒｅｑｕｅｓｔ）サブフィールド、ＭＲＱシーケンス識別子（ＭＳＩ：ＭＲＱ  Ｓｅｑｕｅｎｃｅ  Ｉｄｅｎｔｉｆｉｅｒ）／時空間ブロックコーディング（ＳＴＢＣ：ｓｐａｃｅ-ｔｉｍｅ  ｂｌｏｃｋ  ｃｏｄｉｎｇ）サブフィールド、ＭＣＳフィードバックシーケンス識別子（ＭＦＳＩ：ＭＣＳ  ｆｅｅｄｂａｃｋ  ｓｅｑｕｅｎｃｅ  ｉｄｅｎｔｉｆｉｅｒ）／グループＩＤ最下位ビット（ＧＩＤ-Ｌ：ＬＳＢ（Ｌｅａｓｔ  Ｓｉｇｎｉｆｉｃａｎｔ  Ｂｉｔ）ｏｆ  Ｇｒｏｕｐ  ＩＤ）サブフィールド、ＭＣＳフィードバック（ＭＦＢ：ＭＣＳ  Ｆｅｅｄｂａｃｋ）サブフィールド、グループＩＤ最上位ビット（ＧＩＤ-Ｈ：ＭＳＢ（Ｍｏｓｔ  Ｓｉｇｎｉｆｉｃａｎｔ  Ｂｉｔ）ｏｆ  Ｇｒｏｕｐ  ＩＤ）サブフィールド、コーディングタイプ（Ｃｏｄｉｎｇ  Ｔｙｐｅ）サブフィールド、フィードバック送信タイプ（ＦＢ  Ｔｘ  Ｔｙｐｅ：Ｆｅｅｄｂａｃｋ  Ｔｒａｎｓｍｉｓｓｉｏｎ  ｔｙｐｅ）サブフィールド及び自発的ＭＦＢ（Ｕｎｓｏｌｉｃｉｔｅｄ  ＭＦＢ）サブフィールドから構成されることができる。
【０１７７】
そして、ＭＦＢサブフィールドは、ＶＨＴ空間-時間ストリーム数（ＮＵＭ＿ＳＴＳ：Ｎｕｍｂｅｒ  ｏｆ  ｓｐａｃｅ  ｔｉｍｅ  ｓｔｒｅａｍｓ）サブフィールド、ＶＨＴ-ＭＣＳサブフィールド、帯域幅（ＢＷ：Ｂａｎｄｗｉｄｔｈ）サブフィールド、信号対雑音比（ＳＮＲ：Ｓｉｇｎａｌ  ｔｏ  Ｎｏｉｓｅ  Ｒａｔｉｏ）サブフィールドを含むことができる。
【０１７８】
ＮＵＭ＿ＳＴＳサブフィールドは、推薦する空間ストリームの数を指示する。ＶＨＴ-ＭＣＳサブフィールドは、推薦するＭＣＳを指示する。ＢＷサブフィールドは、推薦するＭＣＳと関連した帯域幅情報を指示する。ＳＮＲサブフィールドは、データサブキャリア及び空間ストリーム上の平均ＳＮＲ値を指示する。
【０１７９】
上述の各フィールドに含まれる情報は、ＩＥＥＥ  ８０２．１１システムの定義に従うことができる。また、上述の各フィールドは、ＭＡＣフレームに含まれることができるフィールドの例示に該当し、これに限定されない。すなわち、上述の各フィールドが他のフィールドに代替されるか、または追加的なフィールドがさらに含まれることができ、すべてのフィールドが必須的に含まれなくても良い。
【０１８０】
媒体アクセスメカニズム
ＩＥＥＥ  ８０２．１１における通信は、共有された無線媒体（ｓｈａｒｅｄ  ｗｉｒｅｌｅｓｓ  ｍｅｄｉｕｍ）においてなされるから、有線チャネル（ｗｉｒｅｄ  ｃｈａｎｎｅｌ）環境とは根本的に異なる特徴を有する。
【０１８１】
有線チャネル環境では、ＣＳＭＡ／ＣＤ（ｃａｒｒｉｅｒ  ｓｅｎｓｅ  ｍｕｌｔｉｐｌｅ  ａｃｃｅｓｓ／ｃｏｌｌｉｓｉｏｎ  ｄｅｔｅｃｔｉｏｎ）に基づいて通信が可能である。例えば、送信端から一回シグナルが送信されると、チャネル環境が大きな変化がないから、受信端まで大きく信号が減衰されずに送信される。このとき、２つ以上のシグナルが衝突されると、感知（ｄｅｔｅｃｔｉｏｎ）が可能であった。これは、受信端で感知された電力（ｐｏｗｅｒ）が瞬間的に送信端から送信した電力より大きくなるためである。しかしながら、無線チャネル環境は、多様な要素（例えば、距離に応じてシグナルの減衰が大きいか、または瞬間的に深いフェージング（ｄｅｅｐ  ｆａｄｉｎｇ）を経ることができる）がチャネルに影響を与えるから、実際に受信端で信号が正しく送信されたか、または衝突が発生したか、送信端で正確にキャリアセンシング（ｃａｒｒｉｅｒ  ｓｅｎｓｉｎｇ）をすることができない。
【０１８２】
これにより、ＩＥＥＥ  ８０２．１１に応じるＷＬＡＮシステムにおいて、ＭＡＣの基本アクセスメカニズムとしてＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）メカニズムを導入した。ＣＡＭＡ／ＣＡメカニズムは、ＩＥＥＥ  ８０２．１１ＭＡＣの分配調整機能（ＤＣＦ：Ｄｉｓｔｒｉｂｕｔｅｄ  Ｃｏｏｒｄｉｎａｔｉｏｎ  Ｆｕｎｃｔｉｏｎ）とも呼ばれるが、基本的に「ｌｉｓｔｅｎ  ｂｅｆｏｒｅ  ｔａｌｋ」アクセスメカニズムを採用している。このような類型のアクセスメカニズムによると、ＡＰ及び／又はＳＴＡは、送信を始めるに先立ち、所定の時間区間（例えば、ＤＩＦＳ（ＤＣＦ  Ｉｎｔｅｒ-Ｆｒａｍｅ  Ｓｐａｃｅ））の間に無線チャネルまたは媒体（ｍｅｄｉｕｍ）をセンシング（ｓｅｎｓｉｎｇ）するＣＣＡ（Ｃｌｅａｒ  Ｃｈａｎｎｅｌ  Ａｓｓｅｓｓｍｅｎｔ）を行う。センシング結果、万が一、媒体がアイドル状態（ｉｄｌｅ  ｓｔａｔｕｓ）であると判断されると、該当媒体を介してフレーム送信を始める。これに対し、媒体が占有状態（ｏｃｃｕｐｉｅｄ  ｓｔａｔｕｓ）であると感知されると、該当ＡＰ及び／又はＳＴＡは、自分の送信を開始せずに、既に様々なＳＴＡが該当媒体を使用するために待機しているという仮定下でＤＩＦＳに追加的に媒体アクセスのための遅延時間（例えば、任意のバックオフ周期（ｒａｎｄｏｍ  ｂａｃｋｏｆｆ  ｐｅｒｉｏｄ））の間により待った後にフレーム送信を試みることができる。
【０１８３】
任意のバックオフ周期を適用することによって、フレームを送信するための複数のＳＴＡが存在すると仮定するとき、複数のＳＴＡは、確率的に異なるバックオフ周期値を有するようになって、互いに異なる時間の間に待機した後にフレーム送信を試みることが期待されるので、衝突（ｃｏｌｌｉｓｉｏｎ）を最小化させることができる。
【０１８４】
また、ＩＥＥＥ  ８０２．１１ＭＡＣプロトコルは、ＨＣＦ（Ｈｙｂｒｉｄ  Ｃｏｏｒｄｉｎａｔｉｏｎ  Ｆｕｎｃｔｉｏｎ）を提供する。ＨＣＦは、前記ＤＣＦと支点調整機能（ＰＣＦ：Ｐｏｉｎｔ  Ｃｏｏｒｄｉｎａｔｉｏｎ  Ｆｕｎｃｔｉｏｎ）を基盤とする。ＰＣＦは、ポーリング（ｐｏｌｌｉｎｇ）基盤の同期式アクセス方式ですべての受信ＡＰ及び／又はＳＴＡがデータフレームを受信することができるように、周期的にポーリングする方式を称する。また、ＨＣＦは、ＥＤＣＡ（Ｅｎｈａｎｃｅｄ  Ｄｉｓｔｒｉｂｕｔｅｄ  Ｃｈａｎｎｅｌ  Ａｃｃｅｓｓ）とＨＣＣＡ（ＨＣＦ  Ｃｏｎｔｒｏｌｌｅｄ  Ｃｈａｎｎｅｌ  Ａｃｃｅｓｓ）を有する。ＥＤＣＡは、提供者が多数のユーザにデータフレームを提供するためのアクセス方式を競争基盤で行うことで、ＨＣＣＡは、ポーリング（ｐｏｌｌｉｎｇ）メカニズムを利用した非競争基盤のチャネルアクセス方式を使用することである。また、ＨＣＦは、ＷＬＡＮのＱｏＳ（Ｑｕａｌｉｔｙ  ｏｆ  Ｓｅｒｖｉｃｅ）を向上させるための媒体アクセスメカニズムを含み、競争周期（ＣＰ：Ｃｏｎｔｅｎｔｉｏｎ  Ｐｅｒｉｏｄ）と非競争周期（ＣＦＰ：Ｃｏｎｔｅｎｔｉｏｎ  Ｆｒｅｅ  Ｐｅｒｉｏｄ）の両方でＱｏＳデータを送信できる。
【０１８５】
図９は、本発明が適用されることができる無線通信システムにおける任意のバックオフ周期とフレーム送信手順を説明するための図である。
【０１８６】
特定媒体が占有（ｏｃｃｕｐｙまたはｂｕｓｙ）状態からアイドル（ｉｄｌｅ）状態に変更されると、複数のＳＴＡは、データ（またはフレーム）送信を試みることができる。このとき、衝突を最小化するための方案として、ＳＴＡは、各々任意のバックオフカウント（ｒａｎｄｏｍ  ｂａｃｋｏｆｆ  ｃｏｕｎｔ）を選択し、それに該当するスロット時間（ｓｌｏｔ  ｔｉｍｅ）分だけ待機した後に、送信を試みることができる。任意のバックオフカウントは、疑似-任意整数（ｐｓｅｕｄｏ-ｒａｎｄｏｍ  ｉｎｔｅｇｅｒ）値を有し、０ないし競争ウィンドウ（ＣＷ：Ｃｏｎｔｅｎｔｉｏｎ  Ｗｉｎｄｏｗ）範囲で均一分布（ｕｎｉｆｏｒｍ  ｄｉｓｔｒｉｂｕｔｉｏｎ）した値のうちのいずれか１つで決定されることができる。ここで、ＣＷは、競争ウィンドウパラメータ値である。ＣＷパラメータは、初期値としてＣＷ＿ｍｉｎが与えられるが、送信が失敗した場合（例えば、送信されたフレームに対するＡＣＫを受信していない場合）に２倍の値を取ることができる。ＣＷパラメータ値がＣＷ＿ｍａｘになると、データ送信が成功するまでＣＷ＿ｍａｘ値を維持しながらデータ送信を試みることができ、データ送信が成功する場合には、ＣＷ＿ｍｉｎ値にリセットされる。ＣＷ、ＣＷ＿ｍｉｎ及びＣＷ＿ｍａｘ値は、（２＾ｎ）-１（ｎ＝０，１，２，．．．）に設定されることが好ましい。
【０１８７】
任意のバックオフ過程が始まると、ＳＴＡは、決定されたバックオフカウント値に応じてバックオフスロットをカウントダウンし、カウントダウンする間に媒体をモニタリングし続ける。媒体が占有状態であるとモニタリングされる場合、カウントダウンを中断し待機するようになり、媒体がアイドル状態になると、カウントダウンを再開する。
【０１８８】
図９の例示においてＳＴＡ３のＭＡＣに送信するパケットが到達した場合に、ＳＴＡ３は、ＤＩＦＳ分だけ媒体がアイドル状態であることを確認し、直にフレームを送信できる。
【０１８９】
一方、残りのＳＴＡは、媒体が占有（ｂｕｓｙ）状態であることをモニタリングし待機する。その間にＳＴＡ１、ＳＴＡ２及びＳＴＡ５のそれぞれでも送信するデータが発生でき、それぞれのＳＴＡは、媒体がアイドル状態であるとモニタリングされる場合、ＤＩＦＳだけ待機した後に、各自が選択した任意のバックオフカウント値に応じてバックオフスロットをカウントダウンする。
【０１９０】
図９の例示では、ＳＴＡ２が最も小さなバックオフカウント値を選択し、ＳＴＡ１が最も大きなバックオフカウント値を選択した場合を示す。すなわち、ＳＴＡ２がバックオフカウントを終えフレーム送信を始める時点においてＳＴＡ５の残余バックオフ時間は、ＳＴＡ１の残余バックオフ時間より短い場合を例示する。
【０１９１】
ＳＴＡ１及びＳＴＡ５は、ＳＴＡ２が媒体を占有する間にカウントダウンを止め待機する。ＳＴＡ２の媒体占有が終了して媒体が再度アイドル状態になると、ＳＴＡ１及びＳＴＡ５は、ＤＩＦＳだけ待機した後に、止めたバックオフカウントを再開する。すなわち、残余バックオフ時間ほどの残りのバックオフスロットをカウントダウンした後にフレーム送信を始めることができる。ＳＴＡ５の残余バックオフ時間がＳＴＡ１より短かったので、ＳＴＡ５のフレーム送信を始めるようになる。
【０１９２】
一方、ＳＴＡ２が媒体を占有する間にＳＴＡ４でも送信するデータが発生できる。このとき、ＳＴＡ４の立場では、媒体がアイドル状態になると、ＤＩＦＳだけ待機した後、自分が選択した任意のバックオフカウント値に応じるバックオフスロットのカウントダウンを行う。
【０１９３】
図９の例示では、ＳＴＡ５の残余バックオフ時間がＳＴＡ４の任意のバックオフカウント値と偶然に一致する場合を示し、この場合、ＳＴＡ４とＳＴＡ５との間に衝突が発生できる。衝突が発生する場合には、ＳＴＡ４とＳＴＡ５ともがＡＣＫを受信できないから、データ送信を失敗するようになる。この場合、ＳＴＡ４とＳＴＡ５は、ＣＷ値を２倍に増やした後に、任意のバックオフカウント値を選択しバックオフスロットのカウントダウンを行う。
【０１９４】
一方、ＳＴＡ１は、ＳＴＡ４とＳＴＡ５の送信により媒体が占有状態である間に待機している途中で、媒体がアイドル状態になると、ＤＩＦＳだけ待機した後に、残余バックオフ時間が経過すると、フレーム送信を始めることができる。
【０１９５】
ＣＳＭＡ／ＣＡメカニズムは、ＡＰ及び／又はＳＴＡが媒体を直接センシングする物理的キャリアセンシング（ｐｈｙｓｉｃａｌ  ｃａｒｒｉｅｒ  ｓｅｎｓｉｎｇ）の他に、仮像キャリアセンシング（ｖｉｒｔｕａｌ  ｃａｒｒｉｅｒ  ｓｅｎｓｉｎｇ）も含む。
【０１９６】
仮像キャリアセンシングは、非表示ノード問題（ｈｉｄｄｅｎ  ｎｏｄｅ  ｐｒｏｂｌｅｍ）などのように媒体接近上発生できる問題を補完するためのものである。仮像キャリアセンシングのために、ＷＬＡＮシステムのＭＡＣは、ネットワーク割り当てベクトル（ＮＡＶ：Ｎｅｔｗｏｒｋ  Ａｌｌｏｃａｔｉｏｎ  Ｖｅｃｔｏｒ）を利用する。ＮＡＶは、現在媒体を使用しているか、または使用する権限があるＡＰ及び／又はＳＴＡが、媒体が利用可能な状態になるまで残っている時間を他のＡＰ及び／又はＳＴＡに指示する値である。したがって、ＮＡＶに設定された値は、該当フレームを送信するＡＰ及び／又はＳＴＡによって媒体の使用が予定されている期間に該当し、ＮＡＶ値を受信するＳＴＡは、該当期間の間に媒体アクセスが禁止される。ＮＡＶは、例えば、フレームのＭＡＣヘッダ（ｈｅａｄｅｒ）の持続期間（ｄｕｒａｔｉｏｎ）フィールドの値に応じて設定されることができる。
【０１９７】
ＡＰ及び／又はＳＴＡは、媒体に接近しようとすることを知らせるために、フレーム及びＣＴＳ（ｃｌｅａｒ  ｔｏ  ｓｅｎｄ）フレームを交換する手順を行うことができる。ＲＴＳフレーム及びＣＴＳフレームは、実質的なデータフレーム送信及び受信確認応答（ＡＣＫ）が支援される場合、ＡＣＫフレームが送受信されるのに必要な無線媒体が接近予約された時間的な区間を指示する情報を含む。フレームを送信しようとするＡＰ及び／又はＳＴＡから送信されたＲＴＳフレームを受信するか、またはフレーム送信対象ＳＴＡから送信されたＣＴＳフレームを受信した他のＳＴＡは、ＲＴＳ／ＣＴＳフレームに含まれている情報が指示する時間的な区間の間に媒体に接近しないように設定されることができる。これは、時間区間の間にＮＡＶが設定されることにより具現されることができる。
【０１９８】
フレーム間隔（ｉｎｔｅｒｆｒａｍｅ  ｓｐａｃｅ）
フレーム間の時間間隔をフレーム間隔（ＩＦＳ：Ｉｎｔｅｒｆｒａｍｅ  ｓｐａｃｅ）に定義する。ＳＴＡは、キャリアセンシング（ｃａｒｒｉｅｒ  ｓｅｎｓｉｎｇ）を介してＩＦＳ時間区間の間、チャネルが使用されるか否かを判断できる。８０２．１１  ＷＬＡＮシステムにおいて無線媒体を占有する優先レベル（ｐｒｉｏｒｉｔｙ  ｌｅｖｅｌ）を提供するために複数のＩＦＳが定義される。
【０１９９】
図１０は、本発明が適用されることができる無線通信システムにおけるＩＦＳ関係を例示する図である。
【０２００】
全てのタイミングは、物理階層インターフェースプリミティブ、すなわち、ＰＨＹ−ＴＸＥＮＤ．ｃｏｎｆｉｒｍプリミティブ、ＰＨＹＴＸＳＴＡＲＴ．ｃｏｎｆｉｒｍプリミティブ、ＰＨＹ−ＲＸＳＴＡＲＴ．ｉｎｄｉｃａｔｉｏｎプリミティブ、及びＰＨＹ−ＲＸＥＮＤ．ｉｎｄｉｃａｔｉｏｎプリミティブを参照して決められることができる。
【０２０１】
ＩＦＳ種類に応じるフレーム間隔は、下記のとおりである。
ａ）縮小されたフレーム間隔（ＲＩＦＳ：ｒｅｄｕｃｅｄ  ｉｎｔｅｒｆｒａｍｅ  ｓｐａｃｅ）
ｂ）短いフレーム間隔（ＳＩＦＳ：ｓｈｏｒｔ  ｉｎｔｅｒｆｒａｍｅ  ｓｐａｃｅ）
ｃ）ＰＣＦフレーム間隔（ＰＩＦＳ：ＰＣＦ  ｉｎｔｅｒｆｒａｍｅ  ｓｐａｃｅ）
ｄ）ＤＣＦフレーム間隔（ＤＩＦＳ：ＤＣＦ  ｉｎｔｅｒｆｒａｍｅ  ｓｐａｃｅ）
ｅ）調整フレーム間隔（ＡＩＦＳ：ａｒｂｉｔｒａｔｉｏｎ  ｉｎｔｅｒｆｒａｍｅ  ｓｐａｃｅ）
ｆ）拡張フレーム間隔（ＥＩＦＳ：ｅｘｔｅｎｄｅｄ  ｉｎｔｅｒｆｒａｍｅ  ｓｐａｃｅ）
【０２０２】
互いに異なるＩＦＳは、ＳＴＡのビット率（ｂｉｔ  ｒａｔｅ）と関係なく、物理階層により特定された属性から決定される。ＩＦＳタイミングは、媒体上での時間ギャップ（ｔｉｍｅ  ｇａｐ）に定義される。ＡＩＦＳを除いたＩＦＳタイミングは、各物理階層別に固定される。
【０２０３】
ＳＩＦＳは、ＡＣＫフレーム、ＣＴＳフレーム、ブロックＡＣＫ要請（ＢｌｏｃｋＡｃｋＲｅｑ）フレーム、またはＡ−ＭＰＤＵに対する即刻的な応答であるブロックＡＣＫ（ＢｌｏｃｋＡｃｋ）フレームを含むＰＰＤＵ、フラグメントバースト（ｆｒａｇｍｅｎｔ  ｂｕｒｓｔ）の２番目または連続的なＭＰＤＵ、ＰＣＦによるポーリング（ｐｏｌｌｉｎｇ）に対するＳＴＡの応答の送信のために使用され、最高優先順位を有する。ＳＩＦＳは、さらに非競争区間（ＣＦＰ）時間の間、フレームのタイプと関係なく、フレームの地点調整（ｐｏｉｎｔ  ｃｏｏｒｄｉｎａｔｏｒ）のために使用されることができる。ＳＩＦＳは、以前フレームの最後のシンボルの終了またはシグナル拡張（存在する場合）から繋がる次のフレームのプリアンブルの最初のシンボルの開始までの時間を表す。
【０２０４】
ＳＩＦＳタイミングは、ＴｘＳＩＦＳスロット境界で連続的なフレームの送信が始まるときに達成される。
【０２０５】
ＳＩＦＳは、互いに異なるＳＴＡからの送信間のＩＦＳの中で最も短い。媒体を占有しているＳＴＡが、フレーム交換シーケンス（ｆｒａｍｅ  ｅｘｃｈａｎｇｅ  ｓｅｑｕｅｎｃｅ）が行われる区間の間、媒体の占有を維持する必要がある場合に使用されることができる。
【０２０６】
フレーム交換シーケンス内の送信間の最も小さいギャップを使用することにより、さらに長いギャップの間、媒体が遊休状態になることを待つことが要求される他のＳＴＡが媒体の使用を試みることを防止できる。したがって、進行中であるフレーム交換シーケンスが完了するのに優先権を付与できる。
【０２０７】
ＰＩＦＳは、媒体をアクセスするのに優先権を取得するために使用される。
【０２０８】
ＰＩＦＳは、次のような場合に使用されることができる。
・ＰＣＦ下に動作するＳＴＡ
・チャネルスイッチ公知（Ｃｈａｎｎｅｌ  Ｓｗｉｔｃｈ  Ａｎｎｏｕｎｃｅｍｅｎｔ）フレームを送信するＳＴＡ
・トラフィック指示マップ（ＴＩＭ：Ｔｒａｆｆｉｃ  Ｉｎｄｉｃａｔｉｏｎ  Ｍａｐ）フレームを送信するＳＴＡ
・ＣＦＰまたは送信機会（ＴＸＯＰ：Ｔｒａｎｓｍｉｓｓｉｏｎ  Ｏｐｐｏｒｔｕｎｉｔｙ）を始めるハイブリッド調整者（ＨＣ：Ｈｙｂｒｉｄ  Ｃｏｏｒｄｉｎａｔｏｒ）
・ＣＡＰ（ｃｏｎｔｒｏｌｌｅｄ  ａｃｃｅｓｓ  ｐｈａｓｅ）内の予想された受信の不在から復旧（ｒｅｃｏｖｅｒｉｎｇ）するためのポーリングされたＴＸＯＰホルダー（ｈｏｌｄｅｒ）であるＨＣまたはｎｏｎ−ＡＰ  ＱｏＳ  ＳＴＡ
・ＣＴＳ２の送信前のデュアルＣＴＳ保護を使用するＨＴ  ＳＴＡ
・送信失敗以後に送信し続けるためのＴＸＯＰホルダー（ｈｏｌｄｅｒ）
・エラー復旧（ｅｒｒｏｒ  ｒｅｃｏｖｅｒｙ）を使用して送信し続けるためのＲＤ（ｒｅｖｅｒｓｅ  ｄｉｒｅｃｔｉｏｎ）開始者
・ＰＳＭＰ（ｐｏｗｅｒ  ｓａｖｅ  ｍｕｌｔｉ−ｐｏｌｌ）復旧フレームを送信するＰＳＭＰシーケンスの間のＨＴ  ＡＰ
・ＥＤＣＡチャネルアクセスを使用する４０ＭＨｚマスクＰＰＤＵを送信する前のセカンダリチャネル（ｓｅｃｏｎｄａｒｙ  ｃｈａｎｎｅｌ）内のＣＣＡを行うＨＴ  ＳＴＡ
【０２０９】
先に羅列された例示のうち、セカンダリチャネル（ｓｅｃｏｎｄａｒｙ  ｃｈａｎｎｅｌ）でＣＣＡを行う場合を除き、ＰＩＦＳを使用するＳＴＡは、ＴｘＰＩＦＳスロット境界で媒体が遊休状態であることを決定するＣＳ（ｃａｒｒｉｅｒ  ｓｅｎｓｅ）メカニズム以後に送信を始める。
【０２１０】
ＤＩＦＳは、ＤＣＦ下にデータフレーム（ＭＰＤＵ）及び管理フレーム（ＭＭＰＤＵ：ＭＡＣ  Ｍａｎａｇｅｍｅｎｔ  Ｐｒｏｔｏｃｏｌ  Ｄａｔａ  Ｕｎｉｔ）を送信するように動作するＳＴＡにより使用されることができる。ＤＣＦを使用するＳＴＡは、正確に受信されたフレーム及びバックオフタイムが満了された以後にＣＳ（ｃａｒｒｉｅｒ  ｓｅｎｓｅ）メカニズムを介して媒体が遊休状態であると決定されれば、ＴｘＤＩＦＳスロット境界で送信することができる。ここで、正確に受信されたフレームは、ＰＨＹ−ＲＸＥＮＤ．ｉｎｄｉｃａｔｉｏｎプリミティブがエラーを指示せずに、ＦＣＳが、フレームがエラーでないこと（ｅｒｒｏｒ  ｆｒｅｅ）を指示するフレームを意味する。
【０２１１】
ＳＩＦＳ時間（「ａＳＩＦＳＴｉｍｅ」）とスロット時間（「ａＳｌｏｔＴｉｍｅ」）とは、物理階層別に決定されることができる。ＳＩＦＳ時間は、固定された値を有するが、スロット時間は、無線遅延時間（ａＡｉｒＰｒｏｐａｇａｔｉｏｎＴｉｍｅ）変化によって動的に変化することができる。
【０２１２】
ブロックＡＣＫ（ＢｌｏｃｋＡｃｋ）手順
図１１は、本発明が適用されることができる無線通信システムにおける下向きリンクＭＵ−ＭＩＭＯ送信過程を例示する図である。
【０２１３】
８０２．１１ａｃでは、ＭＵ−ＭＩＭＯは、ＡＰからクライアント（すなわち、ｎｏｎ−ＡＰ  ＳＴＡ）に向かう下向きリンクで定義される。このとき、多重ユーザフレーム（ｍｕｌｔｉ−ｕｓｅｒ  ｆｒａｍｅ）は、多重受信者に同時に送信されるが、受信確認（ａｃｋｎｏｗｌｅｄｇｅｍｅｎｔ）は、上向きリンクで個別的に送信されなければならない。
【０２１４】
８０２．１１ａｃを基盤とするＶＨＴ  ＭＵ  ＰＰＤＵ内の送信される全てのＭＰＤＵは、Ａ−ＭＰＤＵに含まれるので、ＶＨＴ  ＭＵ  ＰＰＤＵに対する即刻的な応答でない、ＶＨＴ  ＭＵ  ＰＰＤＵ内のＡ−ＭＰＤＵに対する応答は、ＡＰによるブロックＡＣＫ要請（ＢＡＲ：Ｂｌｏｃｋ  Ａｃｋ  Ｒｅｑｕｅｓｔ）フレームに対する応答で送信される。
【０２１５】
まず、ＡＰは、全ての受信者（すなわち、ＳＴＡ１、ＳＴＡ２、ＳＴＡ３）にＶＨＴ  ＭＵ  ＰＰＤＵ（すなわち、プリアンブル及びデータ）を送信する。ＶＨＴ  ＭＵ  ＰＰＤＵは、各ＳＴＡに送信されるＶＨＴ  Ａ−ＭＰＤＵを含む。
【０２１６】
ＡＰからＶＨＴ  ＭＵ  ＰＰＤＵを受信したＳＴＡ１は、ＳＩＦＳ以後にブロックＡＣＫ（ＢＡ：Ｂｌｏｃｋ  Ａｃｋｎｏｗｌｅｄｇｅｍｅｎｔ）フレームをＡＰに送信する。ＢＡフレームについてのより詳細な説明は後述する。
【０２１７】
ＳＴＡ１からＢＡを受信したＡＰは、ＳＩＦＳ以後にＢＡＲ（ｂｌｏｃｋ  ａｃｋｎｏｗｌｅｄｇｅｍｅｎｔ  ｒｅｑｕｅｓｔ）フレームを次のＳＴＡ２に送信し、ＳＴＡ２は、ＳＩＦＳ以後にＢＡフレームをＡＰに送信する。ＳＴＡ２からＢＡフレームを受信したＡＰは、ＳＩＦＳ以後にＢＡＲフレームをＳＴＡ３に送信し、ＳＴＡ３は、ＳＩＦＳ以後にＢＡフレームをＡＰに送信する。
【０２１８】
このような過程が全てのＳＴＡに対して行われれば、ＡＰは、次のＭＵ  ＰＰＤＵを全てのＳＴＡに送信する。
【０２１９】
ＨＥ（Ｈｉｇｈ  Ｅｆｆｉｃｉｅｎｃｙ、８０２．１１ａｘ）システム
以下、次世代ＷＬＡＮシステムについて説明する。次世代ＷＬＡＮシステムは、次世代ＷＩＦＩシステムであって、このような次世代ＷＩＦＩシステムの一実施の形態としてＩＥＥＥ  ８０２．１１ａｘを例として説明することもできる。本明細書において以下の次世代ＷＬＡＮシステムをＨＥ（Ｈｉｇｈ  Ｅｆｆｉｃｉｅｎｃｙ）システムと名付け、このシステムのフレーム、ＰＰＤＵなどをＨＥフレーム、ＨＥ  ＰＰＤＵ、ＨＥプリアンブル、ＨＥ-ＳＩＧフィールド、ＨＥ-ＳＴＦ及びＨＥ-ＬＴＦなどと呼ぶことができる。
【０２２０】
ＨＥシステムに対して以下で追加に述べない内容に対しては、上述のＶＨＴシステムのような従来のＷＬＡＮシステムに対する説明が適用されることができる。例えば、ＨＥ-ＳＩＧ  Ａフィールド、ＨＥ-ＳＴＦ、ＨＥ-ＬＴＦ及びＨＥ-ＳＩＧ-Ｂフィールドに対して、上述のＶＨＴ-ＳＩＧ  Ａフィールド、ＶＨＴ-ＳＴＦ、ＶＨＴ-ＬＴＦ及びＶＨＴ-ＳＩＧ-Ｂフィールドに対する説明が適用されることができる。提案されるＨＥシステムのＨＥフレーム及びプリアンブルなどは、ただし他の無線通信またはセルラシステムにも使用されることができる。ＨＥ  ＳＴＡは、上述のように、ｎｏｎ-ＡＰ  ＳＴＡまたはＡＰ  ＳＴＡになることができる。以下の明細書でＳＴＡと呼ばれても、このようなＳＴＡ装置は、ＨＥ  ＳＴＡ装置を表すこともできる。
【０２２１】
図１２は、本発明の一実施形態に係るＨＥ（Ｈｉｇｈ  Ｅｆｆｉｃｉｅｎｃｙ）フォーマットＰＰＤＵを例示する図である。
【０２２２】
図１２（ａ）は、ＨＥフォーマットＰＰＤＵの概略的な構造を例示し、図１２（ｂ）〜（ｄ）は、ＨＥフォーマットＰＰＤＵのより具体的な構造を例示する。
【０２２３】
図１２（ａ）に示すように、ＨＥＷのためのＨＥフォーマットＰＰＤＵは、大別してレガシー部分（Ｌ−ｐａｒｔ：ｌｅｇａｃｙ−ｐａｒｔ）、ＨＥ部分（ＨＥ−ｐａｒｔ）、及びデータフィールド（ＨＥ−ｄａｔａ）で構成されることができる。
【０２２４】
Ｌ−ｐａｒｔは、既存のＷＬＡＮシステムで維持する形態と同様に、Ｌ−ＳＴＦフィールド、Ｌ−ＬＴＦフィールド、及びＬ−ＳＩＧフィールドで構成される。Ｌ−ＳＴＦフィールド、Ｌ−ＬＴＦフィールド、及びＬ−ＳＩＧフィールドをレガシープリアンブル（ｌｅｇａｃｙ  ｐｒｅａｍｂｌｅ）と呼ぶことができる。
【０２２５】
ＨＥ−ｐａｒｔは、８０２．１１ａｘ標準のために新しく定義される部分であって、ＨＥ−ＳＴＦフィールド、ＨＥ−ＳＩＧフィールド、及びＨＥ−ＬＴＦフィールドを含むことができる。図１２（ａ）では、ＨＥ−ＳＴＦフィールド、ＨＥ−ＳＩＧフィールド、及びＨＥ−ＬＴＦフィールドの順序を例示しているが、これと相違した順序で構成されることができる。また、ＨＥ−ＬＴＦは省略されることもできる。ＨＥ−ＳＴＦフィールド及びＨＥ−ＬＴＦフィールドだけでなく、ＨＥ−ＳＩＧフィールドを含んでＨＥ−ｐｒｅａｍｂｌｅと通称することもできる。
【０２２６】
また、Ｌ−ｐａｒｔ、ＨＥ−ＳＩＧフィールド、ＨＥ−ｐｒｅａｍｂｌｅを物理プリアンブル（ＰＨＹ（ｐｈｙｓｉｃａｌ）ｐｒｅａｍｂｌｅ）／フィジカルプリアンブルと通称することができる。
【０２２７】
ＨＥ−ＳＩＧフィールドは、ＨＥ−ｄａｔａフィールドをデコードするための情報（例えば、ＯＦＤＭＡ、ＵＬ  ＭＵ  ＭＩＭＯ、向上したＭＣＳ等）を含むことができる。
【０２２８】
Ｌ−ｐａｒｔとＨＥ−ｐａｒｔとは、互いに異なるＦＦＴ（Ｆａｓｔ  Ｆｏｕｒｉｅｒ  Ｔｒａｎｓｆｏｒｍ）サイズ（すなわち、サブキャリア間隔（ｓｐａｃｉｎｇ））を有することができ、互いに異なるＣＰ（Ｃｙｃｌｉｃ  Ｐｒｅｆｉｘ）を使用することもできる。
【０２２９】
８０２．１１ａｘシステムでは、レガシーＷＬＡＮシステムに比べて４倍大きい（４×）ＦＦＴサイズを使用することができる。すなわち、Ｌ−ｐａｒｔは、１×シンボル構造で構成され、ＨＥ−ｐａｒｔ（特に、ＨＥ−ｐｒｅａｍｂｌｅ及びＨＥ−ｄａｔａ）は、４×シンボル構造で構成されることができる。ここで、１×、２×、４×サイズのＦＦＴは、レガシーＷＬＡＮシステム（例えば、ＩＥＥＥ８０２．１１ａ、８０２．１１ｎ、８０２．１１ａｃ等）に対する相対的なサイズを示す。
【０２３０】
例えば、Ｌ−ｐａｒｔに用いられるＦＦＴサイズは、２０ＭＨｚ、４０ＭＨｚ、８０ＭＨｚ、及び２００ＭＨｚで各々６４、１２８、２５６、５１２であれば、ＨＥ−ｐａｒｔに用いられるＦＦＴサイズは、２０ＭＨｚ、４０ＭＨｚ、８０ＭＨｚ、及び２００ＭＨｚで各々２５６、５１２、１０２４、２０４８でありうる。
【０２３１】
このように、レガシーＷＬＡＮシステムよりＦＦＴサイズが大きくなると、サブキャリア周波数間隔（ｓｕｂｃａｒｒｉｅｒ  ｆｒｅｑｕｅｎｃｙ  ｓｐａｃｉｎｇ）が小さくなるので、単位周波数当たりサブキャリアの数が増加されるが、ＯＦＤＭシンボル長が長くなる。
【０２３２】
すなわち、より大きいＦＦＴサイズが使用されるとは、サブキャリア間隔が狭くなるという意味であり、同様に、ＩＤＦＴ（Ｉｎｖｅｒｓｅ  Ｄｉｓｃｒｅｔｅ  Ｆｏｕｒｉｅｒ  Ｔｒａｎｓｆｏｒｍ）／ＤＦＴ（Ｄｉｓｃｒｅｔｅ  Ｆｏｕｒｉｅｒ  Ｔｒａｎｓｆｏｒｍ）周期（ｐｅｒｉｏｄ）が増えるという意味である。ここで、ＩＤＦＴ／ＤＦＴ周期は、ＯＦＤＭシンボルで保護区間ＧＩを除いたシンボル長を意味できる。
【０２３３】
したがって、ＨＥ−ｐａｒｔ（特に、ＨＥ−ｐｒｅａｍｂｌｅ及びＨＥ−ｄａｔａ）は、Ｌ−ｐａｒｔに比べて４倍大きいＦＦＴサイズが使用されるならば、ＨＥ−ｐａｒｔのサブキャリア間隔は、Ｌ−ｐａｒｔのサブキャリア間隔の１／４倍となり、ＨＥ−ｐａｒｔのＩＤＦＴ／ＤＦＴ周期は、Ｌ−ｐａｒｔのＩＤＦＴ／ＤＦＴ周期の４倍となる。例えば、Ｌ−ｐａｒｔのサブキャリア間隔が３１２．５ｋＨｚ（＝２０ＭＨｚ／６４、４０ＭＨＺ／１２８、８０ＭＨｚ／２５６、及び／又は２００ＭＨｚ／５１２）であれば、ＨＥ−ｐａｒｔのサブキャリア間隔は、７８．１２５ｋＨｚ（＝２０ＭＨｚ／２５６、４０ＭＨＺ／５１２、８０ＭＨｚ／１０２４、及び／又は２００ＭＨｚ／２０４８）でありうる。また、Ｌ−ｐａｒｔのＩＤＦＴ／ＤＦＴ周期が３．２μｓ（＝１／３１２．５ｋＨｚ）であれば、ＨＥ−ｐａｒｔのＩＤＦＴ／ＤＦＴ周期は、１２．８μｓ（＝１／７８．１２５ｋＨｚ）でありうる。
【０２３４】
ここで、ＧＩは、０．８μｓ、１．６μｓ、３．２μｓのうちの１つが使用され得るので、ＧＩを含むＨＥ−ｐａｒｔのＯＦＤＭシンボル長（または、シンボル間隔（ｓｙｍｂｏｌ  ｉｎｔｅｒｖａｌ））は、ＧＩによって１３．６μｓ、１４．４μｓ、２０μｓでありうる。
【０２３５】
図１２（ｂ）に示すように、ＨＥ−ＳＩＧフィールドは、ＨＥ−ＳＩＧ−ＡフィールドとＨＥ−ＳＩＧ−Ｂフィールドとに区分されることができる。
【０２３６】
例えば、ＨＥフォーマットＰＰＤＵのＨＥ−ｐａｒｔは、１２．８μｓの長さを有するＨＥ−ＳＩＧ−Ａフィールド、１ＯＦＤＭシンボルのＨＥ−ＳＴＦフィールド、１つ以上のＨＥ−ＬＴＦフィールド、及び１ＯＦＤＭシンボルのＨＥ−ＳＩＧ−Ｂフィールドを含むことができる。
【０２３７】
また、ＨＥ−ｐａｒｔにおいてＨＥ−ＳＩＧ−Ａフィールドを除き、ＨＥ−ＳＴＦフィールドからは、既存のＰＰＤＵより４倍大きいサイズのＦＦＴが適用され得る。すなわち、２５６、５１２、１０２４、及び２０４８サイズのＦＦＴが各々２０ＭＨｚ、４０ＭＨｚ、８０ＭＨｚ、及び２００ＭＨｚのＨＥフォーマットＰＰＤＵのＨＥ−ＳＴＦフィールドから適用されることができる。
【０２３８】
ただし、図１２（ｂ）のように、ＨＥ−ＳＩＧがＨＥ−ＳＩＧ−ＡフィールドとＨＥ−ＳＩＧ−Ｂフィールドとに区分されて送信されるとき、ＨＥ−ＳＩＧ−Ａフィールド及びＨＥ−ＳＩＧ−Ｂフィールドの位置は、図１２（ｂ）と相違することができる。例えば、ＨＥ−ＳＩＧ−Ａフィールドの次にＨＥ−ＳＩＧ−Ｂフィールドが送信され、ＨＥ−ＳＩＧ−Ｂフィールドの次にＨＥ−ＳＴＦフィールドとＨＥ−ＬＴＦフィールドが送信され得る。この場合にも同様に、ＨＥ−ＳＴＦフィールドからは、既存のＰＰＤＵより４倍大きいサイズのＦＦＴが適用され得る。
【０２３９】
図１２（ｃ）に示すように、ＨＥ−ＳＩＧフィールドは、ＨＥ−ＳＩＧ−ＡフィールドとＨＥ−ＳＩＧ−Ｂフィールドとに区分されないことがある。
【０２４０】
例えば、ＨＥフォーマットＰＰＤＵのＨＥ−ｐａｒｔは、１ＯＦＤＭシンボルのＨＥ−ＳＴＦフィールド、１ＯＦＤＭシンボルのＨＥ−ＳＩＧフィールド、及び１つ以上のＨＥ−ＬＴＦフィールドを含むことができる。
【０２４１】
上記と同様に、ＨＥ−ｐａｒｔは、既存のＰＰＤＵより４倍大きいサイズのＦＦＴが適用され得る。すなわち、２５６、５１２、１０２４、及び２０４８サイズのＦＦＴが各々２０ＭＨｚ、４０ＭＨｚ、８０ＭＨｚ、及び２００ＭＨｚのＨＥフォーマットＰＰＤＵのＨＥ−ＳＴＦフィールドから適用されることができる。
【０２４２】
図１２（ｄ）に示すように、ＨＥ−ＳＩＧフィールドは、ＨＥ−ＳＩＧ−ＡフィールドとＨＥ−ＳＩＧ−Ｂフィールドとに区分されず、ＨＥ−ＬＴＦフィールドは省略されることができる。
【０２４３】
例えば、ＨＥフォーマットＰＰＤＵのＨＥ−ｐａｒｔは、１ＯＦＤＭシンボルのＨＥ−ＳＴＦフィールド及び１ＯＦＤＭシンボルのＨＥ−ＳＩＧフィールドを含むことができる。
【０２４４】
上記と同様に、ＨＥ−ｐａｒｔは、既存のＰＰＤＵより４倍大きいサイズのＦＦＴが適用されることができる。すなわち、２５６、５１２、１０２４、及び２０４８サイズのＦＦＴが各々２０ＭＨｚ、４０ＭＨｚ、８０ＭＨｚ、及び２００ＭＨｚのＨＥフォーマットＰＰＤＵのＨＥ−ＳＴＦフィールドから適用されることができる。
【０２４５】
本発明に係るＷＬＡＮシステムのためのＨＥフォーマットＰＰＤＵは、少なくとも１つの２０ＭＨｚチャネルを介して送信されることができる。例えば、ＨＥフォーマットＰＰＤＵは、総４個の２０ＭＨｚチャネルを使用して、４０ＭＨｚ、８０ＭＨｚ、または２００ＭＨｚ周波数帯域で送信されることができる。これについて、下記の図面を参照してより詳細に説明する。
【０２４６】
図１３は、本発明の一実施形態に係るＨＥフォーマットＰＰＤＵを例示する図である。
【０２４７】
図１３では、１つのＳＴＡに８０ＭＨｚが割り当てられた場合（または、８０ＭＨｚ内の複数のＳＴＡにＯＦＤＭＡ資源ユニットが割り当てられた場合）もしくは、複数のＳＴＡに各々８０ＭＨｚの互いに異なるストリームが割り当てられた場合のＰＰＤＵフォーマットを例示する。
【０２４８】
図１３に示すように、Ｌ−ＳＴＦ、Ｌ−ＬＴＦ、及びＬ−ＳＩＧは、各２０ＭＨｚチャネルで６４ＦＦＴポイント（または、６４サブキャリア）に基づいて生成されたＯＦＤＭシンボルに送信されることができる。
【０２４９】
ＨＥ-ＳＩＧ−Ａフィールドは、ＰＰＤＵを受信するＳＴＡに共通的に送信される供用制御情報を含むことができる。ＨＥ-ＳＩＧ  Ａフィールドは、１個ないし３個のＯＦＤＭシンボルで送信されることができる。ＨＥ-ＳＩＧ  Ａフィールドは、２０ＭＨｚ単位で複写されて、同じ情報を含む。また、ＨＥ-ＳＩＧ-Ａフィールドは、システムの全帯域幅情報を知らせる。
【０２５０】
ＨＥ−ＳＩＧ−Ａフィールドには、以下の表１のような情報が含まれ得る。
【０２５１】
【表１】
0006557348.tif 000002
【０２５２】
表１に例示される各フィールドに含まれる情報は、ＩＥＥＥ８０２．１１システムの定義にしたがうことができる。また、前述した各フィールドは、ＰＰＤＵに含まれ得るフィールドの例示に該当し、これに限定されない。すなわち、前述した各フィールドが他のフィールドに代替されるか、追加的なフィールドがさらに含まれ得るし、全てのフィールドが必須的に含まれないこともある。
【０２５３】
ＨＥ−ＳＴＦは、ＭＩＭＯ送信においてＡＧＣ（Ａｕｔｏｍａｔｉｃ  Ｇａｉｎ  Ｃｏｎｔｒｏｌ）推定の性能を改善するために使用される。ＨＥ−ＳＴＦは、特定帯域に対する周波数ドメインのシーケンスを使用して生成されることができる。ＨＥ−ＬＴＦ（Ｌｏｎｇ  Ｔｒａｉｎｉｇ  Ｆｉｅｌｄ）は、受信機で受信チェーン及び星状図マッファ出力のセット間のＭＩＭＯチャネルを推定するのに使用されるフィールドである。
【０２５４】
ＨＥ−ＳＩＧ−Ｂフィールドは、各ＳＴＡが自分のデータ（例えば、ＰＳＤＵ）を受信するために要求されるユーザ特定（ｕｓｅｒ−ｓｐｅｃｉｆｉｃ）情報を含むことができる。ＨＥ−ＳＩＧ−Ｂフィールドは、１つまたは２つのＯＦＤＭシンボルで送信されることができる。例えば、ＨＥ−ＳＩＧ−Ｂフィールドは、当該ＰＳＤＵの変調及びコーディング技法（ＭＣＳ）並びに当該ＰＳＤＵの長さに関する情報を含むことができる。
【０２５５】
Ｌ−ＳＴＦ、Ｌ−ＬＴＦ、Ｌ−ＳＩＧ、及びＨＥ−ＳＩＧ−Ａフィールドは、２０ＭＨｚチャネル単位に繰り返されて送信されることができる。例えば、ＰＰＤＵが４個の２０ＭＨｚチャネル（すなわち、８０ＭＨｚ帯域）を介して送信されるとき、Ｌ−ＳＴＦ、Ｌ−ＬＴＦ、Ｌ−ＳＩＧ、及びＨＥ−ＳＩＧ−Ａフィールドは、２０ＭＨｚチャネル毎に繰り返されて送信されることができる。
【０２５６】
ＦＦＴサイズが大きくなると、既存のＩＥＥＥ８０２．１１ａ／ｇ／ｎ／ａｃを支援するレガシーＳＴＡは、当該ＨＥ  ＰＰＤＵをデコードできないことがある。レガシーＳＴＡとＨＥ  ＳＴＡとが共存（ｃｏｅｘｉｓｔｅｎｃｅ）するために、Ｌ−ＳＴＦ、Ｌ−ＬＴＦ、及びＬ−ＳＩＧフィールドは、レガシーＳＴＡが受信できるように、２０ＭＨｚチャネルで６４ＦＦＴを介して送信される。例えば、Ｌ−ＳＩＧフィールドは、１つのＯＦＤＭシンボルを占有し、１つのＯＦＤＭシンボル時間は、４μＳであり、ＧＩは、０．８μＳでありうる。
【０２５７】
各周波数単位別のＦＦＴサイズは、ＨＥ−ＳＴＦ（または、ＨＥ−ＳＩＧ−Ａ）からさらに大きくなることができる。例えば、２５６ＦＦＴが２０ＭＨｚチャネルで使用され、５１２ＦＦＴが４０ＭＨｚチャネルで使用され、１０２４ＦＦＴが８０ＭＨｚチャネルで使用されることができる。ＦＦＴサイズが大きくなると、ＯＦＤＭサブキャリア間の間隔が小さくなるので、単位周波数当たりＯＦＤＭサブキャリアの数が増加されるが、ＯＦＤＭシンボル時間は長くなる。システムの効率を向上させるために、ＨＥ−ＳＴＦ以後のＧＩの長さは、ＨＥ−ＳＩＧ−ＡのＧＩの長さと同様に設定されることができる。
【０２５８】
ＨＥ−ＳＩＧ−Ａフィールドは、ＨＥ  ＳＴＡがＨＥ  ＰＰＤＵをデコードするために要求される情報を含むことができる。しかし、ＨＥ−ＳＩＧ−Ａフィールドは、レガシーＳＴＡとＨＥ  ＳＴＡとが共に受信され得るように、２０ＭＨｚチャネルで６４ＦＦＴを介して送信されることができる。これは、ＨＥ  ＳＴＡがＨＥフォーマットＰＰＤＵだけでなく、既存のＨＴ／ＶＨＴフォーマットＰＰＤＵを受信でき、レガシーＳＴＡ及びＨＥ  ＳＴＡがＨＴ／ＶＨＴフォーマットＰＰＤＵとＨＥフォーマットＰＰＤＵとを区分しなければならないためである。
【０２５９】
図１４は、本発明の一実施形態に係るＨＥフォーマットＰＰＤＵを例示する図である。
【０２６０】
図１４では、２０ＭＨｚチャネルが各々互いに異なるＳＴＡ（例えば、ＳＴＡ１、ＳＴＡ２、ＳＴＡ３、及びＳＴＡ４）に割り当てられる場合を仮定する。
【０２６１】
図１４に示すように、単位周波数当たりＦＦＴサイズは、ＨＥ−ＳＴＦ（または、ＨＥ−ＳＩＧ−Ｂ）からさらに大きくなることができる。例えば、ＨＥ−ＳＴＦ（または、ＨＥ−ＳＩＧ−Ｂ）から２５６ＦＦＴが２０ＭＨｚチャネルで使用され、５１２ＦＦＴが４０ＭＨｚチャネルで使用され、１０２４ＦＦＴが８０ＭＨｚチャネルで使用されることができる。
【０２６２】
ＰＰＤＵに含まれる各フィールドで送信される情報は、前述した図１３の例示と同様なので、以下、説明を省略する。
【０２６３】
ＨＥ−ＳＩＧ−Ｂフィールドは、各ＳＴＡに特定された情報を含むことができるが、全体バンド（すなわち、ＨＥ−ＳＩＧ−Ａフィールドで指示）にわたってエンコードされることができる。すなわち、ＨＥ−ＳＩＧ−Ｂフィールドは、全てのＳＴＡに関する情報を含み、全てのＳＴＡが受信するように送信されることもできる。
【０２６４】
ＨＥ−ＳＩＧ−Ｂフィールドは、各ＳＴＡ別に割り当てられる周波数帯域幅情報及び／又は当該周波数帯域でストリーム情報を知らせることができる。例えば、図１４においてＨＥ−ＳＩＧ−Ｂは、ＳＴＡ１が２０ＭＨｚ、ＳＴＡ２がその次の２０ＭＨｚ、ＳＴＡ３がその次の２０ＭＨｚ、ＳＴＡ４がその次の２０ＭＨｚが割り当てられ得る。また、ＳＴＡ１とＳＴＡ２とは４０ＭＨｚを割り当て、ＳＴＡ３とＳＴＡ４とは、その次の４０ＭＨｚを割り当てることができる。この場合、ＳＴＡ１とＳＴＡ２とは、互いに異なるストリームを割り当て、ＳＴＡ３とＳＴＡ４とは、互いに異なるストリームを割り当てることができる。
【０２６５】
また、ＨＥ−ＳＩＧ−Ｃフィールドを定義して、図１４の例示にＨＥ−ＳＩＧ  Ｃフィールドが追加され得る。この場合、ＨＥ−ＳＩＧ−Ｂフィールドでは、全帯域にわたって全てのＳＴＡに関する情報が送信され、各ＳＴＡに特定した制御情報は、ＨＥ−ＳＩＧ−Ｃフィールドを介して２０ＭＨｚ単位に送信されることもできる。このような場合、ＨＥ−ＳＩＧ−Ｃフィールドは、ＨＥ−ＬＴＦフィールドの後に送信されることもできる。
【０２６６】
また、図１３及び図１４の例示とは異なり、ＨＥ−ＳＩＧ−Ｂフィールドは、全帯域にわたって送信せず、ＨＥ−ＳＩＧ−Ａフィールドと同様に、２０ＭＨｚ単位に送信されることができる。これについて下記の図面を参照して説明する。
【０２６７】
図１５は、本発明の一実施形態に係るＨＥフォーマットＰＰＤＵを例示する図である。
【０２６８】
図１５では、２０ＭＨｚチャネルが各々互いに異なるＳＴＡ（例えば、ＳＴＡ１、ＳＴＡ２、ＳＴＡ３、及びＳＴＡ４）に割り当てられる場合を仮定する。
【０２６９】
図１５に示すように、ＨＥ−ＳＩＧ−Ｂフィールドは、全帯域にわたって送信されず、ＨＥ−ＳＩＧ−Ａフィールドと同様に、２０ＭＨｚ単位に送信される。ただし、このとき、ＨＥ−ＳＩＧ−Ｂは、ＨＥ−ＳＩＧ−Ａフィールドとは異なり、２０ＭＨｚ単位にエンコードされて送信されるが、２０ＭＨｚ単位に複製されて送信されないことがある。
【０２７０】
この場合、単位周波数当たりＦＦＴサイズは、ＨＥ−ＳＴＦ（または、ＨＥ−ＳＩＧ−Ｂ）からさらに大きくなることができる。例えば、ＨＥ−ＳＴＦ（または、ＨＥ−ＳＩＧ−Ｂ）から２５６ＦＦＴが２０ＭＨｚチャネルで使用され、５１２ＦＦＴが４０ＭＨｚチャネルで使用され、１０２４ＦＦＴが８０ＭＨｚチャネルで使用されることができる。
【０２７１】
ＰＰＤＵに含まれる各フィールドで送信される情報は、前述した図１３の例示と同様なので、以下、説明を省略する。
【０２７２】
ＨＥ−ＳＩＧ−Ａフィールドは、２０ＭＨｚ単位に複写されて（ｄｕｐｌｉｃａｔｅｄ）送信される。
【０２７３】
ＨＥ−ＳＩＧ−Ｂフィールドは、各ＳＴＡ別に割り当てられる周波数帯域幅情報及び／又は当該周波数帯域でストリーム情報を知らせることができる。ＨＥ−ＳＩＧ−Ｂフィールドは、各ＳＴＡに関する情報を含むので、２０ＭＨｚ単位の各ＨＥ−ＳＩＧ−Ｂフィールド別に各ＳＴＡに関する情報が含まれ得る。このとき、図１５の例示では、各ＳＴＡ別に２０ＭＨｚが割り当てられる場合を例示しているが、例えば、ＳＴＡに４０ＭＨｚが割り当てられる場合、２０ＭＨｚ単位にＨＥ−ＳＩＧ−Ｂフィールドが複写されて送信されることもできる。
【０２７４】
各ＢＳＳ別に互いに異なる帯域幅を支援する状況で、隣接したＢＳＳからの干渉レベルの少ない一部の帯域幅をＳＴＡに割り当てる場合に、上記のように、ＨＥ−ＳＩＧ−Ｂフィールドを全帯域にわたって送信しないことがより好ましい場合がある。
【０２７５】
図１３〜図１５においてデータフィールドは、ペイロード（ｐａｙｌｏａｄ）として、サービスフィールド（ＳＥＲＶＩＣＥ  ｆｉｅｌｄ）、スクランブリングされたＰＳＤＵ、テールビット（ｔａｉｌ  ｂｉｔｓ）、パディングビット（ｐａｄｄｉｎｇ  ｂｉｔｓ）を含むことができる。
【０２７６】
一方、前述した図１３〜図１５のようなＨＥフォーマットＰＰＤＵは、Ｌ−ＳＩＧフィールドの繰り返しシンボルであるＲＬ−ＳＩＧ（Ｒｅｐｅａｔｅｄ  Ｌ−ＳＩＧ）フィールドを介して区分されることができる。ＲＬ−ＳＩＧフィールドは、ＨＥ  ＳＩＧ−Ａフィールドの前に挿入され、各ＳＴＡは、ＲＬ−ＳＩＧフィールドを用いて受信されたＰＰＤＵのフォーマットをＨＥフォーマットＰＰＤＵとして区分することができる。
【０２７７】
図１６は、本発明の一実施形態に係るＨＥフレーム構造を示す。
【０２７８】
上述したように、８０２．１１ａｘシステムでは、アベレージスループット補強（ａｖｅｒａｇｅ  ｔｈｒｏｕｇｈｐｕｔ  ｅｎｈａｎｃｅｍｅｎｔ）及びアウトドアでのローバスト送信のために、レガシー８０２．１１システム（８０２．１１ａ、８０２．１１ｎ、８０２．１１ａｃ等）より４倍長いシンボル長を使用しようとする。ＳＴＡがすなわち、ＯＦＤＭ変調実行の際、４倍大きいＦＦＴサイズを適用できる。
【０２７９】
図１６は、一実施形態に係るＨＥ信号フレーム構造を示す。図１６において、シンボル長が４倍長い区間を４倍（４×）ＦＦＴサイズで示した。図１６のように、信号フレームでＬ−パート、すなわち、レガシープリアンブルは、レガシーシステムのようなＦＦＴサイズ（１×）を使用できる。ＨＥパートでは、ＨＥ−ＳＩＧフィールドまでは１×  ＦＦＴサイズが適用され、ＨＥ−ＳＴＦ、ＨＥ−ＬＴＦ、及びＨＥ−データ部分に対しては４×  ＦＦＴサイズが適用され得る。ただし、図１６の実施形態は、図１２〜図１５の実施形態の組み合わせとともに使用されることもできる。
【０２８０】
ＦＦＴサイズが増加するようになると、８０２．１１レガシーシステム信号に比べて送信信号のサブキャリアの数が増加されてスループットを向上させることはできるが、受信機では、シンボル周期が長くなるので、データを処理するのにかかる時間が増加され得る。したがって、予め定義されたＳＩＦＳ時間をそのまま使用すれば、受信ＳＴＡが決められたＳＩＦＳ時間後にＡＣＫフレームを送信できないこともある。
【０２８１】
ＳＴＡは、ＳＩＦＳ時間後に受信した信号フレームに対してＡＣＫフレームまたはＣＴＳフレームを送信しなければならない。ＳＩＦＳ時間（ＳＩＦＳＴｉｍｅ）は、下記のとおりである。
ＳＩＦＳＴｉｍｅ＝ａＲｘＰＨＹＤｅｌａｙ＋ａＭＡＣＰＲｏｃｅｓｓｉｎｇＤｅｌａｙ＋ａＴｘＰＨＹＤｅｌａｙ＋ａＲｘＴｘＳｗｉｔｃｈＴｉｍｅ＋ａＴｘＲａｍｐＯｎＴｉｍｅ
【０２８２】
ＳＩＦＳ時間に含まれる時間についての簡略な説明は、以下のとおりである。
【０２８３】
ａＲｘＰＨＹＤｅｌａｙ：ＰＨＹ階層がエアーインターフェースで最後のシンボルの終了から受信フレームの最後のビットをＭＡＣレイヤに伝達するノミナル時間（マイクロ秒）（Ｔｈｅ  ｎｏｍｉｎａｌ  ｔｉｍｅ（ｉｎ  ｍｉｃｒｏｓｅｃｏｎｄｓ）  ｔｈａｔ  ＰＨＹ  ｕｓｅｓ  ｔｏ  ｄｅｌｉｖｅｒ  ｔｈｅ  ｌａｓｔ  ｂｉｔ  ｏｆ  ａ  ｒｅｃｅｉｖｅｄ  ｆｒａｍｅ  ｆｒｏｍ  ｅｎｄ  ｏｆ  ｔｈｅ  ｌａｓｔ  ｓｙｍｂｏｌ  ａｔ  ｔｈｅ  ａｉｒ  ｉｎｔｅｒｆａｃｅ  ｔｏ  ｔｈｅ  ＭＡＣ．）
【０２８４】
ａＭＡＣＰｒｏｃｅｓｓｉｎｇＤｅｌａｙ：ＭＡＣレイヤでＰＨＹレイヤに送信開始指示、受信終了指示、及びＣＣＡ指示を発行する最大時間（Ｔｈｅ  ｍａｘｉｍｕｍ  ｔｉｍｅ（ｉｎ  ｍｉｃｒｏｓｅｃｏｎｄｓ）  ａｖａｉｌａｂｌｅ  ｆｏｒ  ｔｈｅ  ＭＡＣ  ｔｏ  ｉｓｓｕｅ  ａ  ＰＨＹ−ＴＸＳＴＡＲＴ．ｒｅｑｕｅｓｔ  ｐｒｉｍｉｔｉｖｅ  ｐｕｒｓｕａｎｔ  ｔｏ  ＰＨＹ−ＲＸＥＮＤ．ｉｎｄｉｃａｔｉｏｎ  ｐｒｉｍｉｔｉｖｅ（ｆｏｒ  ｒｅｓｐｏｎｓｅ  ａｆｔｅｒ  ＳＩＦＳ）  ｏｒ  ＰＨＹ−ＣＣＡ．ｉｎｄｉｃａｔｉｏｎ（ＩＤＬＥ）  ｐｒｉｍｉｔｉｖｅ（ｆｏｒ  ｒｅｓｐｏｎｓｅ  ａｔ  ａｎｙ  ｓｌｏｔ  ｂｏｕｎｄａｒｙ  ｆｏｌｌｏｗｉｎｇ  ａ  ＳＩＦＳ））
【０２８５】
ａＴｘＰＨＹＤｅｌａｙ：ＰＨＹ階層がＭＡＣインターフェースからシンボルをエアーインターフェースに伝達するノミナル時間（マイクロ秒）（Ｔｈｅ  ｎｏｒｍｉｎａｌ  ｔｉｍｅ（ｉｎ  ｍｉｃｒｏｓｅｃｏｎｄｓ）  ｔｈａｔ  ｔｈｅ  ＰＨＹ  ｕｓｅｓ  ｔｏ  ｄｅｌｉｖｅｒ  ａ  ｓｙｍｂｏｌ  ｆｒｏｍ  ｔｈｅ  ＭＡＣ  ｉｎｔｅｒｆａｃｅ  ｔｏ  ｔｈｅ  ａｉｒ  ｉｎｔｅｒｆａｃｅ）
【０２８６】
ａＲｘＴｘＳｗｉｔｃｈＴｉｍｅ：ＰＨＹ階層が受信から送信にスイッチングするノミナル時間（Ｔｈｅ  ｎｏｍｉｎａｌ  ｔｉｍｅ（ｉｎ  ｍｉｃｒｏｓｅｃｏｎｄｓ）  ｔｈａｔ  ＰＨＹ  ｔａｋｅｓ  ｔｏ  ｓｗｉｔｃｈ  ｆｏｒｍ  ｒｅｃｅｉｖｅ  ｔｏ  ｔｒａｎｓｍｉｔ）
【０２８７】
ａＴｘＲａｍｐＯｎＴｉｍｅ：ＰＨＹ階層が送信機をつけるのにかかる最大時間（Ｔｈｅ  ｍａｘｉｍｕｍ  ｔｉｍｅ（ｉｎ  ｍｉｃｒｏｓｅｃｏｎｄｓ）  ｔｈａｔ  ｔｈｅ  ＰＨＹ  ｔａｋｅｓ  ｔｏ  ｔｕｒｎ  ｔｈｅ  Ｔｒａｎｓｍｉｔｔｅｒ  ｏｎ。）
【０２８８】
上述したように、４×  ＦＦＴサイズを使用することにより、シンボル周期（ｄｕｒａｔｉｏｎ）が増加するにしたがって、ａＲｘＰＨＹＤｅｌａｙ時間が増加するようになり、ＳＴＡが決められたＳＩＦＳ時間後にＡＣＫフレームを送信できなくなることがある。したがって、送信ＳＴＡは、受信ＳＴＡがデータをよく受信したにもかかわらず、ＳＩＦＳ時間後にＡＣＫを受信できず、受信ＳＴＡがデータを受信できなかったことと判断することもできる。したがって、以下では、ＨＥ−ＳＴＡの性能（ｃａｐａｂｉｌｉｔｙ）を分類し、これをＭＣＳレベル及びデータレートと連関してパディングシンボルを追加し、パディングシンボルに関する情報をＨＥ−ＳＴＡに指示する方法について説明する。
【０２８９】
パディングシンボルは、ダミーシンボルと呼ぶこともできる。送信ＳＴＡがダミーシンボルを追加に生成／送信する場合、受信機は、ダミーシンボルをデコードしないながら、ダミーシンボル区間をデータデコードのために追加的に必要な処理時間に設定することができる。ダミーシンボルは、ＯＦＤＭシンボルであって、ＯＢＳＳ  ＳＴＡがエネルギーディテクションを介してチャネルが占有と判断できる任意の信号になることもできる。または、ＳＴＡがダミーシンボルを送信する代わりに、信号フレームの特定区間に何らの信号を送信しないこともある。ただし、このような場合、当該信号生成のために、追加的なＲＦまたは基底帯域チェーンが必要でありうる。また、ＯＢＳＳ  ＳＴＡが当該チャネルを遊休と判断できるので、以下では、増加される信号プロセシング時間までＮＡＶセッティングできるＯＦＤＭシンボルであるダミーシンボルを使用する実施形態について説明する。ダミーシンボルが最後のデータシンボルの後に挿入されるので、ダミーシンボルは、パディングシンボルと呼ばれることができる。また、ダミーシンボルの付加によって送信信号が延長されるので、信号延長（ｅｘｔｅｎｓｉｏｎ）または延長信号と呼ぶこともできる。
【０２９０】
ダミーシンボルを全ての送信信号に付加することは、システムスループットを低下し得る。したがって、本発明では、ＳＴＡの性能を考慮してダミーシンボルを付加しようとし、したがって、送信ＳＴＡは、受信ＳＴＡの性能を知らなければならない。したがって、以下において、ＳＴＡ性能を分類し、シグナリングする方法を説明する。
【０２９１】
実施形態として、ＨＥ  ＳＴＡの性能はＮ個に分類されることができる。ＨＥ  ＳＴＡの性能は、ＳＴＡの製造工程でデコード性能によって直接分類されることができる。または、ＨＥ  ＳＴＡが信号を送受信するときに使用する各種パラメータにより間接的に分類されることもできる。ＨＥ  ＳＴＡの性能を区分するために使用できるパラメータは、下記のように表すことができ、このうち、少なくとも１つのパラメータまたはこれらの組み合わせによって性能を区分することができる。ただし、このようなパラメータは、実施形態であって、含まれたパラメータが除かれるか、他のパラメータが追加されるなど、全体パラメータは、変更されることもできる。
【０２９２】
１）ＳＴＡが支援する最大データレート
２）ＳＴＡが支援する最大ペイロードサイズ
３）ＳＴＡが支援する最大ＭＣＳレベル（または星状図レベル）
４）ＳＴＡが支援するＯＦＤＭシンボル当たりコーディングされたビットの最大数
５）ＳＴＡが支援するＯＦＤＭシンボル当たりデータビットの最大数
６）ＳＴＡが支援する最大空間（ｓｐａｔｉａｌ）ストリームの数
７）ＳＴＡが支援する最大空間時間ストリームの数
８）ＳＴＡが支援する最大ＢＣＣまたはＬＤＰＣエンコーダの数
９）ＳＴＡが支援する最大ＢＣＣまたはＬＤＰＣデコーダの数
１０）ＳＴＡが支援する最大帯域幅サイズ
【０２９３】
本明細書では、実施形態として、ＳＴＡが支援する最大ＭＣＳレベルパラメータ及び最大帯域幅サイズパラメータに基づいてＳＴＡのカテゴリーを４個に分類することができる。表２は、このように分類したＳＴＡの４個のカテゴリーを示す。
【０２９４】
【表２】
0006557348.tif 000003
【０２９５】
分類されたＳＴＡカテゴリー情報は、送信ＳＴＡでダミーシンボルパディング可否及びパディングされるダミーシンボルの量を決定するのに必要なので、送信ＳＴＡは、受信ＳＴＡのＳＴＡカテゴリー情報を取得しなければならない。したがって、ＳＴＡカテゴリー情報は、ＳＴＡ同士に送受信する信号に含まれて交換されなければならない。本発明の実施形態として、ＳＴＡカテゴリー情報は、ＨＥ性能エレメント（ＨＥ  Ｃａｐａｂｉｌｉｔｉｅｓ  Ｅｌｅｍｅｎｔ）に含まれて伝達されることができる。実施形態として、ＨＥ性能エレメントは、ＡＰのビーコンフレームまたはＳＴＡのプローブ応答（Ｐｒｏｂｅ  Ｒｅｓｐｏｎｓｅ）フレーム、連係要請（Ａｓｓｏｃｉａｔｉｏｎ  Ｒｅｑｕｅｓｔ）フレーム、連係応答（Ａｓｓｏｃｉａｔｏｉｎ  Ｒｅｓｐｏｎｓｅ）フレーム、再連係要請（Ｒｅａｓｓｏｃｉａｔｉｏｎ  Ｒｅｑｕｅｓｔ）フレーム、再連係応答（Ｒｅａｓｓｏｃｉａｔｏｉｎ  Ｒｅｓｐｏｎｓｅ）フレームに含まれることもできる。
【０２９６】
図１７は、本発明の実施形態に係るＶＨＴ性能エレメントを示す。
【０２９７】
実施形態として、ＨＥ性能エレメントは、ＶＨＴ性能エレメントと同一または類似したストラクチャーとして設計されることができる。ＨＥ  ＳＴＡは、ＨＥ性能エレメント（ＨＥ  Ｃａｐａｂｉｌｉｔｉｅｓ  Ｅｌｅｍｅｎｔ）を送信することにより、自分がＨＥ  ＳＴＡであることを宣言できる。ＨＥ性能エレメントは、図１７のようなＨＥ性能情報フィールド（ＨＥ  Ｃａｐａｂｉｌｉｔｉｅｓ  Ｉｎｆｏ  Ｆｉｅｌｄ）を含むことができる。図１７の実施形態は、ＶＨＴ性能情報フィールドを例示として採用し、実施形態によって含まれる情報は変更されることもできる。図１７において、ＨＥ性能情報フィールドの最後の３０〜３１ビットが予備（ｒｅｓｅｒｖｅｄ）ビットであり、本発明は、この予備ビットを使用してＳＴＡカテゴリー情報を送信できる。
【０２９８】
図１７のＨＥ性能情報フィールドに含まれるサブフィールドについての簡略な説明は、下記のとおりである。
【０２９９】
・Ｍａｘｉｍｕｍ  ＭＰＤＵ  Ｌｅｎｇｔｈ：最大ＭＰＤＵ長さフィールド、最大ＭＰＤＵ長さを示す
・Ｓｕｐｐｏｒｔｅｄ  Ｃｈａｎｎｅｌ  Ｗｉｄｔｈ  Ｓｅｔ：支援チャネル幅セット情報、当該ＳＴＡが支援するチャネル幅を示す
・Ｒｘ  ＬＤＰＣ：受信ＬＤＰＣ情報、受信するＬＤＰＣエンコードされたパケットに対する支援を示す
・Ｓｈｏｒｔ  ＧＩ  ｆｏｒ  ８０ＭＨｚ：８０ＭＨｚに対する短いＧＩ情報、受信パケットに対する短いＧＩ支援可否を示す
・Ｓｈｏｒｔ  ＧＩ  ｆｏｒ  ８０＋８０ＭＨｚ：８０＋８０ＭＨｚに対する短いＧＩ情報、受信パケットに対する短いＧＩ支援可否を示す
・Ｔｘ  ＳＴＢＣ：送信ＳＴＢＣ情報、少なくとも２×１  ＳＴＢＣの送信支援可否を示す
・Ｒｘ  ＳＴＢＣ：受信ＳＴＢＣ情報、ＳＴＢＣを使用するＰＰＤＵの受信支援可否を示す
・ＳＵ  Ｂｅａｍｆｏｒｍｅｒ  Ｃａｐａｂｌｅ：ＳＵビームフォーマ性能情報、ＳＵビームフォーマ（ＶＨＴサウンディングプロトコル）のような動作の支援可否を示す
・ＳＵ  Ｂｅａｍｆｏｒｍｅｅ  Ｃａｐａｂｌｅ：ＳＵビームフォーミ性能情報、ＳＵビームフォーミ（ＶＨＴサウンディングプロトコル）のような動作の支援可否を示す
・Ｂｅａｍｆｏｒｍｅｅ  ＳＴＳ  ｃａｐａｂｉｌｉｔｙ：ビームフォーミＳＴＳ性能情報、ＳＴＡが受信できる空間−時間ストリームの最大数を示す
・Ｎｕｍｂｅｒ  ｏｆ  Ｓｏｕｎｄｉｎｇ  Ｄｉｍｅｎｓｉｏｎｓ：サウンディングディメンション数情報、ビームフォーマの性能を示す
・ＭＵ  Ｂｅａｍｆｏｒｍｅｒ  Ｃａｐａｂｌｅ：ＭＵビームフォーマ性能情報、ＭＵビームフォーマ（ＶＨＴサウンディングプロトコル）のような動作の支援可否を示す
・ＭＵ  Ｂｅａｍｆｏｒｍｅｅ  Ｃａｐａｂｌｅ：ＭＵビームフォーミ性能情報、ＭＵビームフォーミ（ＶＨＴサウンディングプロトコル）のような動作の支援可否を示す
・ＶＨＴ（ＨＥ）  ＴＸＯＰ  ＰＳ：ＡＰがＶＨＴ（ＨＥ）  ＴＸＯＰ電力セーブモードを支援するか、またはｎｏｎ−ＡＰ  ＳＴＡのＶＨＴ（ＨＥ）−ＴＸＯＰ電力セーブモードがイネーブルされたかを示す
・ＨＴＣ−ＶＨＴ−Ｃａｐａｂｌｅ：ＨＴＣ−ＶＨＴ（ＨＥ）性能情報、ＳＴＡがＶＨＴ可変（ｖａｒｉａｎｔ）ＨＴコントロールフィールドの受信を支援するかを示す
・Ｍａｘｉｍｕｍ  Ａ−ＭＰＤＵ  Ｌｅｎｇｔｈ  Ｅｘｐｏｎｅｎｔ：最大Ａ−ＭＰＤＵ長さ指数情報、ＳＴＡが受信できるＡ−ＭＰＤＵの最大長さを示す
・ＶＨＴ（ＨＥ）  Ｌｉｎｋ  Ａｄａｐｔａｔｉｏｎ  Ｃａｐａｂｌｅ：ＶＨＴ（ＨＥ）リンクアダプテーション性能情報、ＳＴＡがＶＨＴ可変（ｖａｒｉａｎｔ）ＨＴコントロールフィールドを使用したリンクアダプテーションを支援するかを示す
・Ｒｘ  Ａｎｔｅｎｎａ  Ｐａｔｔｅｒｎ  Ｃｏｎｓｉｓｔｅｎｃｙ：受信アンテナパターン変更の可能性（ｐｏｓｓｉｂｉｌｉｔｙ）を示す
・Ｔｘ  Ａｎｔｅｎｎａ  Ｐａｔｅｒｎ  Ｃｏｎｓｉｓｔｅｎｃｙ：送信アンテナパターン変更の可能性（ｐｏｓｓｉｂｉｌｉｔｙ）を示す
【０３００】
実施形態として、ＳＴＡは、上述した予備ビットを使用して別にＳＴＡカテゴリー情報を指示する方法を使用できる。他の実施形態として、ＳＴＡは、追加的なビットを割り当てず、ＨＥ性能エレメントまたはＶＨＴ性能エレメントを構成する上述したサブフィールドの情報を使用してＳＴＡカテゴリーを算出することもできる。実施形態として、ＳＴＡは、性能エレメントに含まれる情報として、Ｍａｘｉｍｕｍ  ＭＰＤＵ  ｌｅｎｇｔｈ、ｓｕｐｐｏｒｔｅｄ  ｃｈａｎｎｅｌ  ｗｉｄｔｈ  ｓｅｔ、Ｒｘ  ＬＤＰＣ、Ｂｅａｍｆｏｒｍｅｅ  ＳＴＳ  ｃａｐａｂｉｌｉｔｙ、Ｎｕｍｂｅｒ  ｏｆ  Ｓｏｕｎｄｉｎｇ  Ｄｉｍｅｎｓｉｏｎｓ、Ｍａｘｉｍｕｍ  Ａ−ＭＰＤＵ  ｌｅｎｇｔｈ  ｅｘｐｏｎｅｎｔ、Ｒｘ  ＭＣＳ  Ｍａｐ、Ｒｘ  Ｈｉｇｈｅｓｔ  Ｓｕｐｐｏｒｔｅｄ  Ｌｏｎｇ  ＧＩ  Ｄａｔａ  Ｒａｔｅ、Ｔｘ  ＭＣＳ  Ｍａｐ、Ｔｘ  Ｈｉｇｈｅｓｔ  Ｓｕｐｐｏｒｔｅｄ  Ｌｏｎｇ  ＧＩ  Ｄａｔａ  Ｒａｔｅのような情報のうち、少なくとも１つの情報を使用してＳＴＡカテゴリーを取得することもできる。すなわち、ＳＴＡは、受信ＳＴＡに対するシグナリング情報を受信／取得して、これからＳＴＡカテゴリーを取得することもできる。
【０３０１】
ＳＴＡカテゴリーが決定されれば、送信ＳＴＡは、パディングシンボルを受信ＳＴＡのカテゴリー及び現在送信するデータフレームのＭＣＳレベル、星状図レベルまたはデータレートに基づいてダミーシンボルをパディングできる。ＭＣＳレベル（星状図レベル）は、ＳＴＡがデータ送信の際、フィジカルプリアンブルのＨＥ−ＳＩＧフィールドを介してシグナリングするＭＣＳレベル（星状図レベル）を示す。以下では、パディングシンボルを生成及び追加する方法についてさらに詳細に説明する。また、実施形態として、ＭＣＳレベルは、星状図レベルを含み、本発明は、ＭＣＳレベルで星状図レベルだけを使用して動作を行うこともできる。
【０３０２】
（１）パディングシンボルを構成するためのビットを構成する方法
パディングシンボルを満たすビットは、ＰＡＰＲ（Ｐｅａｋ  ｔｏ  Ａｖｅｒａｇｅ  Ｐｏｗｅｒ  Ｒａｔｉｏ）性能などを考慮して、同じ値を繰り返して入れずに、特定ビット値を生成して使用することができる。
ａ．ランダムなビット値が使用され得る。実施形態として、このようなランダムビットは、ＰＮシーケンスを使用して生成されることができ、シード（ｓｅｅｄ）値は、予め定義された値を使用するか、ＡＩＤ、Ｐａｒｔｉａｌ  ＡＩＤ、グループＩＤの全体または一部を使用することもできる。
ｂ．予め定義されたビットシーケンスが使用され得る。予め定義されたシーケンスは、システムのＰＡＰＲ性能を考慮して、生成／適用されるシーケンスが使用され得る。
ｃ．パディングシンボルを満たすために、ビット値を生成する代わりに、変調シンボルを直ちに生成して使用することもできる。このようなパディングシンボルは、ＰＡＰＲ性能を考慮した構造として選択されることができる。実施形態として、変調次数は、ＱＰＳＫが使用されることもできる。
【０３０３】
（２）パディングシンボルを変調する方法
実施形態として、ＳＴＡは、Ｌ−ＳＩＧまたはＨＥ−ＳＩＧフィールドで定義されたまたはデータ送信に使用された変調オーダーを使用してパディングシンボルを変調できる。他の実施形態として、ＳＴＡは、Ｌ−ＳＩＧまたはＨＥ−ＳＩＧフィールドで定義されたまたはデータ送信に使用された変調オーダーと関係なく、予め定義された変調オーダーを使用することもできる。予め定義された特定変調オーダーと（１）−ｂ、（１）−ｃの方法を共に使用する場合には、ＰＡＰＲ性能を大きく向上させることができるＯＦＤＭシンボルを生成できる。
【０３０４】
（３）ＦＦＴサイズ及びＣＰ長さ
実施形態として、ＳＴＡは、Ｌ−ＳＩＧまたはＨＥ−ＳＩＧフィールドで定義されたまたはデータ送信に使用されたＦＦＴサイズ及びＣＰ長さを使用してパディングシンボルを変調できる。他の実施形態として、ＳＴＡは、Ｌ−ＳＩＧまたはＨＥ−ＳＩＧフィールドで定義されたまたはデータ送信に使用されたＦＦＴサイズ及びＣＰ長さと関係なく、予め定義されたＦＦＴサイズ及びＣＰ長さを使用することもできる。
【０３０５】
（４）パディングシンボルの数
ａ．ＳＴＡは、送信データのＦＦＴサイズが４×である場合、ｎ個のパディングシンボルを生成し、送信データのＦＦＴサイズが１×または２×である場合には、パディングシンボルを生成しないことがある。
このとき、パディングシンボルの個数（ｎ）は、上述したＳＴＡカテゴリーにより決定されることができる。実施形態として、ＳＴＡカテゴリー１のパディングシンボル数は３、ＳＴＡカテゴリー２のパディングシンボル数は２、ＳＴＡカテゴリー３のパディングシンボル数は１、ＳＴＡカテゴリー４のパディングシンボル数は０に設定されることができる。他の実施形態として、ＳＴＡカテゴリー１のパディングシンボル数は２、ＳＴＡカテゴリー２のパディングシンボル数は２、ＳＴＡカテゴリー３のパディングシンボル数は１、ＳＴＡカテゴリー４のパディングシンボル数は０のように、一部ＳＴＡカテゴリーに対しては同じパディングシンボル数が使用されることもできる。または、ＳＴＡカテゴリー情報と関係なく、ｎ＝１、２のように、予め定義された値が使用されることもできる。
ｂ．ＳＴＡは、データ送信にＳＴＢＣ方式を使用し、送信データのＦＦＴサイズが４×である場合、２ｎ個のパディングシンボルを生成し、送信データのＦＦＴサイズが２×である場合には、ｎ個のパディングシンボルを生成し、送信データのＦＦＴサイズが１×である場合には、パディングシンボルを生成しないことがある。
このとき、パディングシンボルの個数（ｎ）は、上述したＳＴＡカテゴリーにより決定されることができる。実施形態として、ＳＴＡカテゴリー１のパディングシンボル数は３、ＳＴＡカテゴリー２のパディングシンボル数は２、ＳＴＡカテゴリー３のパディングシンボル数は１、ＳＴＡカテゴリー４のパディングシンボル数は０に設定されることができる。他の実施形態として、ＳＴＡカテゴリー１のパディングシンボル数は２、ＳＴＡカテゴリー２のパディングシンボル数は２、ＳＴＡカテゴリー３のパディングシンボル数は１、ＳＴＡカテゴリー４のパディングシンボル数は０のように、一部ＳＴＡカテゴリーに対しては同じパディングシンボル数が使用されることもできる。または、ＳＴＡカテゴリー情報と関係なく、ｎ＝１、２のように、予め定義された値が使用されることもできる。
ｃ．ＳＴＡは、データ送信にＳＴＢＣ方式を使用し、送信データのＦＦＴサイズが４×である場合、２ｎ個のパディングシンボルを生成し、送信データのＦＦＴサイズが２×である場合、または１×である場合には、パディングシンボルを生成しないことがある。
このとき、パディングシンボルの個数（ｎ）は、上述したＳＴＡカテゴリーにより決定されることができる。実施形態として、ＳＴＡカテゴリー１のパディングシンボル数は３、ＳＴＡカテゴリー２のパディングシンボル数は２、ＳＴＡカテゴリー３のパディングシンボル数は１、ＳＴＡカテゴリー４のパディングシンボル数は０に設定されることができる。他の実施形態として、ＳＴＡカテゴリー１のパディングシンボル数は２、ＳＴＡカテゴリー２のパディングシンボル数は２、ＳＴＡカテゴリー３のパディングシンボル数は１、ＳＴＡカテゴリー４のパディングシンボル数は０のように、一部ＳＴＡカテゴリーに対しては同じパディングシンボル数が使用されることもできる。または、ＳＴＡカテゴリー情報と関係なく、ｎ＝１、２のように、予め定義された値が使用されることもできる。
【０３０６】
上述したように、送信ＳＴＡは、パディングシンボルを生成できる。ただし、送信ＳＴＡにおいてパディングシンボルの挿入可否は、受信機のＳＴＡカテゴリー、送信データに対するＭＣＳレベル、またはデータレートに基づいて決定されることができる。言い換えれば、送信ＳＴＡは、受信ＳＴＡのカテゴリー、送信データのＭＣＳレベル、送信データのデータレートのうち、少なくとも１つに基づいてパディングシンボルの挿入可否を決定できる。実施形態として、ＭＣＳレベルは、表３のように１０個のステップを含むことができるが、実施形態によって８０２．１１ａｘシステムのＭＣＳレベルは、他のレベルがさらに追加されることもできる。
【０３０７】
【表３】
0006557348.tif 000004
【０３０８】
送信ＳＴＡは、表４及び表５のように、パディングシンボル追加可否を決定できる。
【０３０９】
【表４】
0006557348.tif 000005
【０３１０】
【表５】
0006557348.tif 000006
【０３１１】
表４は、ＳＴＡカテゴリーとＭＣＳレベルとを使用してパディングシンボル追加可否を決定する実施形態である。送信ＳＴＡは、受信ＳＴＡがＳＴＡカテゴリー１である場合は、ＭＣＳレベルが３〜９である場合、ＳＴＡカテゴリー２である場合は、ＭＣＳレベルが５〜９である場合、ＳＴＡカテゴリー３である場合は、ＭＣＳレベルが８〜９である場合に対してパディングシンボルを追加して信号を送信できる。
【０３１２】
表５は、ＳＴＡカテゴリーとデータレートとを使用してパディングシンボル追加可否を決定する実施形態である。送信ＳＴＡは、受信ＳＴＡがＳＴＡカテゴリー１である場合は、データレートが１２００（Ｍｂ／ｓ）超過である場合、ＳＴＡカテゴリー２である場合は、データレートが２４００（Ｍｂ／ｓ）超過である場合、ＳＴＡカテゴリー３である場合は、データレートが３６００（Ｍｂ／ｓ）超過である場合に対してパディングシンボルを追加して信号を送信できる。
【０３１３】
図１８は、本発明の一実施形態に係るＳＴＡ装置を示す。
【０３１４】
図１８において、ＳＴＡ装置は、メモリ１８０１０、プロセッサ１８０２０及びＲＦユニット１８０３０を含むことができる。そして、上述のように、ＳＴＡ装置は、ＨＥ  ＳＴＡ装置であって、ＡＰまたはｎｏｎ-ＡＰ  ＳＴＡになることができる。
【０３１５】
ＲＦユニット１８０３０は、プロセッサ１８０２０に接続されて無線信号を送信／受信することができる。ＲＦユニット１８０３０は、プロセッサから受信されたデータを送受信帯域にアップコンバートして、信号を送信することができる。
【０３１６】
プロセッサ１８０２０は、ＲＦユニット１８０３０に接続されてＩＥＥＥ  ８０２．１１システムによる物理階層及び／またはＭＡＣ階層を具現できる。プロセッサ１８０３０は、上述の図面及び説明による本発明の多様な実施の形態にかかる動作を行うように構成されることができる。また、上述の本発明の多様な実施の形態にかかるＳＴＡの動作を具現するモジュールがメモリ１８０１０に格納され、プロセッサ１８０２０によって実行されることができる。
【０３１７】
メモリ１８０１０は、プロセッサ１８０２０に接続され、プロセッサ１８０２０を駆動するための多様な情報を格納する。メモリ１８０１０は、プロセッサ１８０２０の内部に含まれるか、またはプロセッサ１８０２０の外部に設置されて、プロセッサ１８０２０と公知の手段により接続されることができる。
【０３１８】
また、ＳＴＡ装置は、一個のアンテナ（ｓｉｎｇｌｅ  ａｎｔｅｎｎａ）または多重アンテナ（ｍｕｌｔｉｐｌｅ  ａｎｔｅｎｎａ）を含むことができる。図１８のＳＴＡ装置の具体的な構成は、上述の本発明の多様な実施の形態で説明した事項が独立的に適用されるか、または２つ以上の実施の形態が同時に適用されるように具現化されることができる。
【０３１９】
図１８において示したＳＴＡ装置のＣＣＡ調整／実行方法及びそれによるデータ送信方法については、以下の順序図とともに、再度説明する。
【０３２０】
図１９は、本発明の実施の形態にかかるＳＴＡ装置のデータ送信方法を示す。
【０３２１】
図１９は、図１２〜図１８の説明が全て適用され得る。
【０３２２】
ＳＴＡは、ＰＰＤＵを生成できる（Ｓ１９０１０）。生成されるＰＰＤＵは、上述した信号フレーム構造を有し、フィジカルプリアンブルとデータフィールドとを含み、フィジカルプリアンブルにはレガシープリアンブルとＨＥプリアンブルとが含まれ得る。ＨＥ  ＰＰＤＵの場合、データフィールドには、レガシープリアンブルで使用されたＦＦＴサイズの４倍のＦＦＴサイズが使用され得る。したがって、データフィールドのＤＦＴ／ＩＤＦＴ（Ｄｉｓｃｒｅｔｅ  Ｆｏｕｒｉｅｒ  Ｔｒａｎｓｆｏｒｍ／Ｉｎｖｅｒｓｅ  Ｄｉｓｃｒｅｔｅ  Ｆｏｕｒｉｅｒ  Ｔｒａｎｓｆｏｒｍ）周期（ｐｅｒｉｏｄ）は、レガシープリアンブル部分のＤＦＴ／ＩＤＦＴ周期の４倍になることができる。
【０３２３】
ＳＴＡは、パディングシンボルの追加可否を決定できる（Ｓ１９０２０）。ＳＴＡは、上述したように、受信ＳＴＡのカテゴリー情報、ＰＰＤＵに送信するデータのＭＣＳレベル、及びＰＰＤＵに送信するデータのデータレートのうち、少なくとも１つに基づいてパディングシンボルの追加可否を決定できる。ＳＴＡは、受信ＳＴＡのカテゴリー情報を受信ＳＴＡから受信することができ、受信された他の情報を使用してＳＴＡが決定／取得することもできる。また、上述したように、ＳＴＡは、ＭＣＳレベルとともに、またはＭＣＳレベルの代わりに、星状図レベルに基づいてパディングシンボルの追加可否を決定することもできる。
【０３２４】
ＳＴＡは、パディングシンボル追加が決定されれば、パディングシンボルを追加できる（Ｓ１９０３０）。ＳＴＡのパディングシンボル生成及び追加方法については、上記で詳細に説明した。追加されるパディングシンボルの数は、受信ＳＴＡのカテゴリーに基づいて決定されることができる。実施形態として、追加されるパディングシンボルの数は、送信データのＭＣＳレベル、データレート、送信帯域幅、送信データ量のうち、少なくとも１つに基づいて決定されることもできる。
【０３２５】
追加されるパディングシンボルは、受信ＳＴＡでデコードされないことがある。すなわち、パスシンボルは、ＰＰＤＵを含む送信信号に対する信号延長（ｓｉｇｎａｌ  ｅｘｔｅｎｓｉｏｎ）に該当し得る。パディングシンボルは、マック（ＭＡＣ）レイヤで追加されるか、フィジカルレイヤで追加されることもできる。本明細書では、パディングシンボルとして説明したが、パディングビットが付加されることもできる。すなわち、シンボルの特定区間に対してビット単位のパディングが行われ、当該パディングビットが含まれたシンボルをパディングシンボルと呼ぶこともできる。
【０３２６】
また、追加されるパディングシンボルは、ＰＰＤＵに含まれたデータのＦＥＣ（Ｆｏｒｗａｒｄ  Ｅｒｒｏｒ  Ｃｏｒｒｅｃｔｉｏｎ）コーディング以後に追加されることができる。ポスト−ＦＥＣパディングシンボルを追加すれば、受信機は、パディングシンボルをＦＥＣデコード無しで捨てる（ｄｉｓｃａｒｄ）ことができ、受信機の動作効率が増加される。そして、ＳＴＡは、パディングシンボルに対するシグナリング情報をフィジカルプリアンブルまたはマック（ＭＡＣ）ヘッダに含めて送信することもできる。パディングシンボル／ビットの位置、数、区間に関する情報が送信され得る。
【０３２７】
ＳＴＡは、パディングシンボルが追加されたＰＰＤＵを送信できる（Ｓ１９０４０）。図１９において、ステップ（Ｓ１９０１０）のＰＰＤＵ生成の際、ＰＰＤＵは、パディングシンボル追加前までのＰＰＤＵを示し、パディングシンボルを追加するステップまでをＰＰＤＵ生成ステップとみなすこともできる。このような場合、ステップ（Ｓ１９０１０）は省略されたり、ＭＰＤＵ生成ステップに代替されることもできる。
【０３２８】
図１９において、ＰＰＤＵを生成するステップとしてフィジカルレイヤの信号処理過程を詳細に示してはいない。ＳＴＡ装置は、ＦＥＣエンコーダ、インターリーバ、セグメントパーサ、マッパー（ｍａｐｐｅｒ）、ＩＤＦＴユニット及びアナログ／ＲＦユニットを備える。ＦＥＣエンコーダ、インターリーバ、セグメントパーサ、マッパー（ｍａｐｐｅｒ）、ＩＤＦＴユニットは、図１８のプロセッサに含まれることができ、アナログ／ＲＦユニットは、図１８のＲＦユニットに該当することができる。図１８のＳＴＡ装置は、上述のＨＥ  ＳＴＡの動作を行うことができる。これを簡略に説明すれば、次のとおりである。
【０３２９】
ＳＴＡは、ＦＥＣエンコーダを使用して送信データをＦＥＣエンコードすることができる。ＦＥＣエンコードは、ＳＴＡがインターリーバを使用して送信データをインターリービングできる。ＦＥＣエンコーダは、エラー訂正コードであって、畳み込みエンコーダ（Ｃｏｎｖｏｌｕｔｉｏｎａｌ  ｅｎｃｏｄｅｒ）、ターボエンコーダ（Ｔｕｒｂｏ  ｅｎｃｏｄｅｒ）またはＬＤＰＣ（Ｌｏｗ  Ｄｅｎｓｉｔｙ  Ｐａｒｉｔｙ  Ｃｈｅｃｋ  ｅｎｃｏｄｅｒ）などにより具現化されることができる。ＦＥＣエンコーダは、畳み込みエンコーダであって、ＢＣＣ（Ｂｉｎａｒｙ  Ｃｏｎｖｏｌｕｔｉｏｎａｌ  Ｃｏｄｅ）エンコードを行うことができる。
【０３３０】
そして、ＳＴＡは、マッパーを使用して送信データを星状図マッピングすることができる。マッパーでの変調方式（ｍｏｄｕｌａｔｉｏｎ  ｓｃｈｅｍｅ）には制限がなく、ｍ-ＰＳＫ（ｍ-Ｐｈａｓｅ  Ｓｈｉｆｔ  Ｋｅｙｉｎｇ）またはｍ-ＱＡＭ（ｍ-Ｑｕａｒｄｒａｔｕｒｅ  Ａｍｐｌｉｔｕｄｅ  Ｍｏｄｕｌａｔｉｏｎ）などが使用されることができる。そして、ＳＴＡは、送信データをＩＤＦＴユニットを使用してＩＤＦＴまたはＩＦＦＴプロセシングすることができる。言い換えれば、ＩＤＦＴユニットは、マッパーから出力される変調シンボルに対してＩＦＦＴまたはＩＤＦＴを行い、時間領域（ｔｉｍｅ  ｄｏｍａｉｎ）のＯＦＤＭシンボルを出力できる。そして、ＳＴＡは、アナログ／ＲＦユニットを使用して送信データをアップコンバートして送信信号を送信できる。
【０３３１】
特に、本発明において、ＩＤＦＴユニットは、送信信号の第１部分と第２部分に対して異なるサイズのＦＦＴを適用でき、特に、第２部分は、第１部分の４倍のＦＦＴが適用され得る。このような場合、第２部分のシンボル周期は、第１部分のシンボル周期の４倍になることができる。これは、４倍のＩＤＦＴ／ＤＦＴ周期（ｐｅｒｉｏｄ）として示すこともできる。
【０３３２】
アナログ／ＲＦユニットは、コンプレックスベースバンドウェーブフォームをアップコンバートして信号を送信できる。言い換えれば、アナログ／ＲＦユニットは、ベースバンドで処理されたデータ／信号をアップコンバートして送信信号を送信することができる。
【０３３３】
本発明の思想または範囲から逸脱せずに、本発明において多様な変更及び変形が可能であることは当業者にとって理解できるはずである。したがって、本発明は、添付された請求項及びそれと同等の範囲内で提供される本発明の変更及び変形を含むことが意図される。
【０３３４】
本明細書において装置及び方法発明ともが言及され、装置及び方法発明ともの説明は、互いに補完して適用されることができる。
【０３３５】
多様な実施の形態が本発明を実施するための最善の形態で説明された。
【産業上の利用可能性】
【０３３６】
本発明の無線通信システムにおけるデータ送受信方法は、ＩＥＥＥ  ８０２．１１システムに適用される例を中心に説明したが、ＩＥＥＥ  ８０２．１１システムの他にも多様な無線通信システムに適用することが可能である。
【図１】
0006557348.tif 000007
【図２】
0006557348.tif 000008
【図３】
0006557348.tif 000009
【図４（ａ）】
0006557348.tif 000010
【図４（ｂ）】
0006557348.tif 000011
【図５（ａ）】
0006557348.tif 000012
【図５（ｂ）】
0006557348.tif 000013
【図５（ｃ）】
0006557348.tif 000014
【図６】
0006557348.tif 000015
【図７】
0006557348.tif 000016
【図８】
0006557348.tif 000017
【図９】
0006557348.tif 000018
【図１０】
0006557348.tif 000019
【図１１】
0006557348.tif 000020
【図１２（ａ）】
0006557348.tif 000021
【図１２（ｂ）】
0006557348.tif 000022
【図１２（ｃ）】
0006557348.tif 000023
【図１２（ｄ）】
0006557348.tif 000024
【図１３】
0006557348.tif 000025
【図１４】
0006557348.tif 000026
【図１５】
0006557348.tif 000027
【図１６】
0006557348.tif 000028
【図１７】
0006557348.tif 000029
【図１８】
0006557348.tif 000030
【図１９】
0006557348.tif 000031